(57)【特許請求の範囲】
【請求項１】
ワイヤレス通信システム内の階層的通信のための方法であって、
前記ワイヤレス通信システム内で動作するようにワイヤレスデバイスを構成することと、ここにおいて、前記ワイヤレス通信システムが、第１のレイヤを通して部分的に定義され、ここにおいて、第１のレイヤ送信が、送信と、前記送信が受信されたサブフレームに後続するサブフレームの中での前記送信の受信の確認応答の受信との間に第１のラウンドトリップ時間（ＲＴＴ）を有する第１のサブフレームタイプを有する、
前記第１のレイヤと多重化された第２のレイヤにおいて前記ワイヤレスデバイスを動作させることと、ここにおいて、第２のレイヤ送信が、前記送信と、前記送信が受信されたサブフレームと同じサブフレームの中での前記送信の受信の確認応答の受信との間に、前記第１のＲＴＴよりも小さい、第２のＲＴＴを有する第２のサブフレームタイプを有し、前記第２のサブフレームタイプとしてのサブフレームは、複数のレガシーシンボルと、後続する複数のバーストモードシンボルとを含み、前記バーストモードシンボルは、前記レガシーシンボルに比べて短縮された持続時間を有する、
を備える方法。
【請求項２】
前記第１のレイヤと多重化された前記第２のレイヤにおいて前記ワイヤレスデバイスを前記動作させることが、前記第２のサブフレームタイプと前記第２のＲＴＴとを有する１つまたは複数の他のサブフレームを、フレームの中で前記ワイヤレスデバイスによって、送信することを備える、
請求項１に記載の方法。
【請求項３】
前記第１のサブフレームタイプを有する１つまたは複数のサブフレームを、前記フレームの中で前記ワイヤレスデバイスによって、送信することをさらに備える、請求項２に記載の方法。
【請求項４】
前記第１のレイヤと多重化された前記第２のレイヤが、前記第１のサブフレームタイプを有する前記１つまたは複数のサブフレームと時分割多重化された、前記第２のサブフレームタイプとしての１つまたは複数のサブフレームを備える、請求項２に記載の方法。
【請求項５】
前記第１のレイヤと多重化された前記第２のレイヤが、前記第１のサブフレームタイプを有する前記１つまたは複数のサブフレームと周波数分割多重化された、前記第２のサブフレームタイプとしての１つまたは複数のサブフレームを備える、請求項２に記載の方法。
【請求項６】
前記第１のサブフレームタイプを有するサブフレームの持続時間が、前記第２のサブフ
レームタイプを有するサブフレームの持続時間に等しい、請求項１に記載の方法。
【請求項７】
前記第１のサブフレームタイプが、第１の持続時間のシンボルを備え、前記第２のサブフレームタイプが、前記第１の持続時間よりも短い第２の持続時間のシンボルを備える、請求項１に記載の方法。
【請求項８】
前記第１のサブフレームタイプとしてのシンボルおよび前記第２のサブフレームタイプとしてのシンボルが、直交周波数分割多重化（ＯＦＤＭ）されたシンボルを備える、請求項７に記載の方法。
【請求項９】
前記第１のサブフレームタイプとしてのシンボルおよび前記第２のサブフレームタイプとしてのシンボルが、シングルキャリア周波数分割多重化（ＳＣ−ＦＤＭ）されたシンボルを備える、請求項７に記載の方法。
【請求項１０】
前記第２のサブフレームタイプが、前記第１の持続時間のシンボルと、前記第２の持続時間のシンボルとを備える、請求項７に記載の方法。
【請求項１１】
前記第２のサブフレームタイプが、デバイスの第１のクラス用にフォーマッティングされたシンボルと、デバイスの第２のクラス用にフォーマッティングされたシンボルとを備える、請求項７に記載の方法。
【請求項１２】
前記第２の持続時間のシンボルを生成するようにクロックを適合させることによって、前記第１の持続時間のシンボルを生成するように構成された前記ワイヤレスデバイスの前記クロックを利用すること
をさらに備える、請求項７に記載の方法。
【請求項１３】
前記第２のサブフレームタイプとしてのサブフレームの中で、データを前記ワイヤレスデバイスによって送信することと、
前記第２のサブフレームタイプとしての前記サブフレーム内で、前記送信の受信の前記確認応答を前記ワイヤレスデバイスによって受信することと
をさらに備える、請求項１に記載の方法。
【請求項１４】
前記第２のサブフレームタイプとしてのサブフレーム内で、送信を前記ワイヤレスデバイスによって受信することと、
前記第２のサブフレームタイプとしての、前記サブフレーム内または後続のサブフレーム内で、前記送信の受信の前記確認応答を前記ワイヤレスデバイスによって送信することと
をさらに備える、請求項１に記載の方法。
【請求項１５】
前記第１のサブフレームタイプとしてのサブフレームが、周波数分割複信（ＦＤＤ）、時分割複信（ＴＤＤ）、または補助ダウンリンク（ＳＤＬ）サブフレームであり、ここにおいて、前記第２のサブフレームタイプとしてのサブフレームが、ＦＤＤ、ＴＤＤ、またはＳＤＬバーストサブフレームである、請求項１に記載の方法。
【請求項１６】
前記ワイヤレス通信システムが、
２つ以上の別個のコンポーネントキャリアを使用して、前記第１のサブフレームタイプとしての１つまたは複数のサブフレームを同時に送信することと、前記コンポーネントキャリアのうちの少なくとも１つが第１の帯域幅を有する、
第２の帯域幅を有する１つのコンポーネントキャリアを使用して、前記第２のサブフレームタイプとしてのサブフレームを送信することと、前記第２の帯域幅は前記第１の帯域幅よりも大きい、
を行うように構成される、請求項１に記載の方法。
【請求項１７】
前記第１のサブフレームタイプとしての前記１つまたは複数のサブフレームおよび前記第２のサブフレームタイプとしての前記サブフレームが、フレーム内で送信される、請求項１６に記載の方法。
【請求項１８】
前記第１のサブフレームタイプを有するサブフレームが、１４個以下のＯＦＤＭまたはＳＣ−ＦＤＭシンボルを備え、前記第２のサブフレームタイプを有するサブフレームが、１４個よりも多いＯＦＤＭまたはＳＣ−ＦＤＭシンボルを備える、請求項１に記載の方法。
【請求項１９】
前記第２のレイヤにおける前記送信が、前記ワイヤレスデバイスによって実行され、前記ワイヤレスデバイスは、ユーザ機器（ＵＥ）または基地局のうちの１つである、請求項１に記載の方法。
【請求項２０】
ワイヤレス通信システム内の階層的通信のためのワイヤレスデバイスに関連付けられた装置であって、
前記ワイヤレス通信システム内で動作するように前記ワイヤレスデバイスを構成するための手段と、ここにおいて、前記ワイヤレス通信システムが、第１のレイヤを通して部分的に定義され、ここにおいて、第１のレイヤ送信が、送信と、前記送信が受信されたサブフレームに後続するサブフレームの中での前記送信の受信の確認応答の受信との間に第１のラウンドトリップ時間（ＲＴＴ）を有する第１のサブフレームタイプを有する、
前記第１のレイヤと多重化された第２のレイヤにおいて前記ワイヤレスデバイスを動作させるための手段と、ここにおいて、第２のレイヤ送信が、前記送信と、前記送信が受信されたサブフレームと同じサブフレームの中での前記送信の受信の確認応答の受信との間に、前記第１のＲＴＴよりも小さい、第２のＲＴＴを有する第２のサブフレームタイプを有し、前記第２のサブフレームタイプとしてのサブフレームは、複数のレガシーシンボルと、後続する複数のバーストモードシンボルとを含み、前記バーストモードシンボルは、前記レガシーシンボルに比べて短縮された持続時間を有する、
を備える装置。
【請求項２１】
ワイヤレス通信システム内の階層的通信のためのワイヤレスデバイスに関連付けられた装置であって、
プロセッサと、
前記プロセッサと電子通信しているメモリと、
前記メモリに記憶された命令とを備え、前記命令は、
前記ワイヤレス通信システム内で前記ワイヤレスデバイスを動作させるように構成することと、ここにおいて、前記ワイヤレス通信システムが、第１のレイヤを通して部分的に定義され、ここにおいて、第１のレイヤ送信が、送信と、前記送信が受信されたサブフレームに後続するサブフレームの中での前記送信の受信の確認応答の受信との間に第１のラウンドトリップ時間（ＲＴＴ）を有する第１のサブフレームタイプを有する、
前記第１のレイヤと多重化された第２のレイヤにおいて前記ワイヤレスデバイスを動作させることと、ここにおいて、第２のレイヤ送信が、前記送信と、前記送信が受信されたサブフレームと同じサブフレームの中での前記送信の受信の確認応答の受信との間に、前記第１のＲＴＴよりも小さい、第２のＲＴＴを有する第２のサブフレームタイプを有し、前記第２のサブフレームタイプとしてのサブフレームは、複数のレガシーシンボルと、後続する複数のバーストモードシンボルとを含み、前記バーストモードシンボルは、前記レガシーシンボルに比べて短縮された持続時間を有する、
を前記装置にさせるように前記プロセッサによって実行可能である、装置。
【請求項２２】
前記命令は、
前記第２のサブフレームタイプと前記第２のＲＴＴとを有する１つまたは複数の他のサブフレームを、フレームの中で送信すること
を前記装置にさせるように前記プロセッサによってさらに実行可能である、請求項２１に記載の装置。
【請求項２３】
前記命令は、
前記第１のサブフレームタイプを有する１つまたは複数のサブフレームを、前記フレームの中で送信すること
を前記装置にさせるように前記プロセッサによってさらに実行可能である、請求項２２に記載の装置。
【請求項２４】
前記第１のサブフレームタイプを有するサブフレームの持続時間が、前記第２のサブフレームタイプを有するサブフレームの持続時間に等しい、請求項２１に記載の装置。
【請求項２５】
前記第１のサブフレームタイプが、第１の持続時間のシンボルを備え、前記第２のサブフレームタイプが、前記第１の持続時間よりも短い第２の持続時間のシンボルを備える、請求項２１に記載の装置。
【請求項２６】
前記第１のサブフレームタイプとしてのシンボルおよび前記第２のサブフレームタイプとしてのシンボルが、直交周波数分割多重化（ＯＦＤＭ）されたシンボルまたはシングルキャリア周波数分割多重化（ＳＣ−ＦＤＭ）されたシンボルのうちの１つまたは複数を備える、請求項２５に記載の装置。
【請求項２７】
前記命令は、
前記第２の持続時間のシンボルを生成するようにクロックを適合させることによって、前記第１の持続時間のシンボルを生成するように構成された前記ワイヤレスデバイスの前記クロックを利用すること
を前記装置にさせるように前記プロセッサによってさらに実行可能である、請求項２５に記載の装置。
【請求項２８】
前記命令は、
前記第２のサブフレームタイプとしてのサブフレームの中で、データを送信することと、
前記第２のサブフレームタイプとしての前記サブフレーム内で、前記送信の受信の前記確認応答を受信するためのことと
を前記装置にさせるように前記プロセッサによってさらに実行可能である、請求項２１に記載の装置。
【請求項２９】
前記命令は、
２つ以上の別個のコンポーネントキャリアを使用して、前記第１のサブフレームタイプとしての１つまたは複数のサブフレームを同時に送信することと、前記コンポーネントキャリアのうちの少なくとも１つが第１の帯域幅を有する、
第２の帯域幅を有する１つのコンポーネントキャリアを使用して、前記第２のサブフレームタイプとしてのサブフレームを送信することと、前記第２の帯域幅が前記第１の帯域幅よりも大きい、
を前記装置にさせるように前記プロセッサによってさらに実行可能である、請求項２１に記載の装置。
【請求項３０】
ワイヤレス通信システム内の階層的通信のためのコードを記憶する非一時的コンピュータ可読記憶媒体であって、前記コードは、
前記ワイヤレス通信システム内でワイヤレスデバイスを動作させるように構成することと、ここにおいて、前記ワイヤレス通信システムが、第１のレイヤを通して部分的に定義され、ここにおいて、第１のレイヤ送信が、送信と、前記送信が受信されたサブフレームに後続するサブフレームの中での前記送信の受信の確認応答の受信との間に第１のラウンドトリップ時間（ＲＴＴ）を有する第１のサブフレームタイプを有する、
前記第１のレイヤと多重化された第２のレイヤにおいて前記ワイヤレスデバイスを動作させることと、ここにおいて、第２のレイヤ送信が、前記送信と、前記送信が受信されたサブフレームと同じサブフレームの中での前記送信の受信の確認応答の受信との間に、前記第１のＲＴＴよりも小さい、第２のＲＴＴを有する第２のサブフレームタイプを有し、前記第２のサブフレームタイプとしてのサブフレームは、複数のレガシーシンボルと、後続する複数のバーストモードシンボルとを含み、前記バーストモードシンボルは、前記レガシーシンボルに比べて短縮された持続時間を有する、
を行うように実行可能な命令を備える、非一時的コンピュータ可読記憶媒体。
【発明の詳細な説明】
【技術分野】
【０００１】
相互参照
[0001]本特許出願は、各々が本出願の譲受人に譲渡された、２０１４年１２月１７日に出願された、「ＬＴＥ  Ｈｉｅｒａｒｃｈｉｃａｌ  Ｂｕｒｓｔ  Ｍｏｄｅ」と題する、Ｍａｌｌａｄｉらによる米国特許出願第１４／５７３，５６２号、および２０１３年１２月２３日に出願された、「ＬＴＥ  Ｈｉｅｒａｒｃｈｉｃａｌ  Ｂｕｒｓｔ  Ｍｏｄｅ」と題する、Ｍａｌｌａｄｉらによる米国仮特許出願第６１／９２０，１０７号の優先権を主張する。
【０００２】
[0002]以下は、一般に、ワイヤレス通信に関し、より詳細には、ワイヤレス通信システムにおける階層的通信（hierarchical communications）のための技法に関する。
【背景技術】
【０００３】
[0003]ワイヤレス通信ネットワークは、いくつかのモバイルデバイスのための通信をサポートすることができるいくつかの基地局を含み得る。モバイルデバイスは、ダウンリンク（ＤＬ）送信およびアップリンク（ＵＬ）送信を介して基地局と通信し得る。ダウンリンク（または、順方向リンク）とは、拡張ノードＢ（ｅＮＢ）などの基地局から、ユーザ機器（ＵＥ）とも呼ばれるモバイルデバイスへの通信リンクを指す。アップリンク（または、逆方向リンク）とは、モバイルデバイスから基地局への通信リンクを指す。
【０００４】
[0004]１つまたは複数のキャリア上でアップリンク通信とダウンリンク通信とを提供するために、多元接続技術（Multiple access technologies）が、周波数分割複信（ＦＤＤ：Frequency Division Duplexing）または時分割複信（ＴＤＤ：Time Division Duplexing）を使用し得る。ＴＤＤ動作は、対スペクトルリソース（paired spectrum resource）を必要としない比較的フレキシブルな展開を提供し得る。ＴＤＤフォーマットはデータのフレームの送信を含み、各フレームは、異なるサブフレームがアップリンクサブフレームまたはダウンリンクサブフレームであり得る、いくつかの異なるサブフレームを含む。ＴＤＤを使用して動作するシステムでは、アップリンク通信とダウンリンク通信とが非対称であり得る、異なるフォーマットが使用され得る。ＦＤＤ動作は、同時発生のアップリンク通信およびダウンリンク通信に対して異なるキャリアを利用する。
【０００５】
[0005]いくつかのワイヤレス通信ネットワークでは、基地局およびＵＥは、キャリアアグリゲーションと呼ばれることがある複数のキャリア上での動作をサポートし得る。キャリアアグリゲーションは、複数のコンポーネントキャリアをサポートする基地局とモバイルデバイスとの間のスループットを高めるために使用され得、モバイルデバイスは、複数の基地局に関連付けられた複数のコンポーネントキャリアを使用して通信するように構成され得る。
【０００６】
[0006]場合によっては、自動再送要求（ＡＲＱ）方式を利用することによって、モバイルデバイスと基地局との間の送信エラーが回避および／または訂正される。受信されたパケットが誤っているかどうかを検出するために、ＡＲＱ方式が採用され得る。たとえば、ＡＲＱ方式では、パケットがエラーなしに受信されたとき、受信機は肯定的な確認応答（ＡＣＫ）を用いて送信機に通知し得、エラーが検出された場合、受信機は否定応答（ＮＡＣＫ）を用いて送信機に通知し得る。いくつかのエラーを修正するために、およびいくつかの訂正不可能なパケットを検出および廃棄するために、ハイブリッドＡＲＱ（ＨＡＲＱ）方式が使用され得る。しかしながら、いくつかのシナリオでは、全体的なＨＡＲＱ遅延は、ワイヤレス通信においていくらかの非効率を生じ得る。
【発明の概要】
【０００７】
[0007]説明される特徴は、一般に、ワイヤレス通信システム内での階層的通信のための１つまたは複数の改善されたシステム、方法、および／またはデバイスに関する。ｅＮＢおよび／またはＵＥは、マルチレイヤのワイヤレス通信システム内で動作するように構成され得る。システムは、第１のサブフレームタイプを有する第１のレイヤ送信と、第２のサブフレームタイプを有する第２のレイヤ送信とを含み得る。第１のサブフレームタイプは、送信とその送信の受信の確認応答との間に第１のラウンドトリップ時間（ＲＴＴ）を有し得、第２のレイヤは、第１のＲＴＴよりも小さい第２のＲＴＴを有し得る。いくつかの例では、第１のサブフレームタイプとしてのサブフレームは、第２のサブフレームタイプとしてのサブフレームと、たとえば、時分割多重化を通して多重化され得る。
【０００８】
[0008]いくつかの例では、ｅＮＢおよび／またはＵＥは、第１のサブフレームタイプを有する１つまたは複数のサブフレームを、フレームの中で送信し得る。第１のサブフレームタイプとしてのサブフレームは、第１のサブフレームタイプに対して定義された複数のキャリア上で同時に送信され得る。ｅＮＢおよび／またはＵＥはまた、第２のサブフレームタイプに対して定義された１つのキャリアを使用して、第２のサブフレームタイプとしての１つまたは複数のサブフレームを、フレームの中で送信し得る。第２のサブフレームタイプを送信するキャリアは、第１のサブフレームタイプの帯域幅よりも大きい帯域幅を有し得る。
【０００９】
[0009]例示的な実施形態の第１のセットによれば、ワイヤレス通信システム内の階層的通信のための方法は、ワイヤレス通信システム内で動作するように構成することと、ワイヤレス通信システムが、第１のレイヤを通して部分的に定義され得、第１のレイヤ送信が、送信とその送信の受信の確認応答との間に第１のラウンドトリップ時間（ＲＴＴ）を有し得る第１のサブフレームタイプを有し得る、第１のレイヤと多重化された第２のレイヤにおいて動作することと、第２のレイヤ送信が、第１のＲＴＴよりも小さい第２のＲＴＴを有し得る第２のサブフレームタイプを有し得る、を含み得る。いくつかの例では、第１のレイヤと多重化された第２のレイヤにおいて動作することが、第２のサブフレームタイプと第２のＲＴＴとを有する１つまたは複数の他のサブフレームを、フレームの中で送信することを含み得る。方法はまた、例では、第１のサブフレームタイプを有する１つまたは複数のサブフレームを、フレームの中で送信することを含み得る。第２のレイヤにおける送信は、たとえば、ユーザ機器（ＵＥ）または基地局によって実行され得る。
【００１０】
[0010]いくつかの例では、第１のレイヤと多重化された第２のレイヤが、第１のサブフレームタイプを有する１つまたは複数のサブフレームと時分割多重化された、第２のサブフレームタイプとしての１つまたは複数のサブフレームを含み得る。他の例では、第１のレイヤと多重化された第２のレイヤが、第１のサブフレームタイプを有する１つまたは複数のサブフレームと周波数分割多重化された、第２のサブフレームタイプとしての１つまたは複数のサブフレームを含み得る。さらに他の例では、第１のレイヤと多重化された第２のレイヤが、第１のサブフレームタイプを有する１つまたは複数のサブフレームと、時分割と周波数分割の両方で多重化された、第２のサブフレームタイプとしての１つまたは複数のサブフレームを含み得る。第１のサブフレームタイプを有するサブフレームの持続時間が、いくつかの例では、第２のサブフレームタイプを有するサブフレームの持続時間に実質的に等しくあり得る。いくつかの例では、第１のサブフレームタイプが、第１の持続時間のシンボルを含み得、第２のサブフレームタイプが、第１の持続時間よりも短い第２の持続時間のシンボルを含み得る。第１のサブフレームタイプとしてのシンボルおよび第２のサブフレームタイプとしてのシンボルが、たとえば、直交周波数分割多重化（ＯＦＤＭ：orthogonal frequency division multiplexed）されたシンボルまたはシングルキャリア周波数分割多重化（ＳＣ−ＦＤＭ：single carrier frequency division multiplexed）されたシンボルを含み得る。いくつかの例では、第２のサブフレームタイプが、第１の持続時間のシンボルと、第２の持続時間のシンボルとを含み得る。第２のサブフレームタイプが、いくつかの例では、デバイスの第１のクラス用にフォーマッティングされたシンボルと、デバイスの第２のクラス用にフォーマッティングされたシンボルとを含み得る。いくつかの例では、方法はまた、第２の持続時間のシンボルを生成するようにクロックを適合させることによって、第１の持続時間のシンボルを生成するように構成された単一のクロックを利用することを含み得る。
【００１１】
[0011]いくつかの例では、方法は、第２のサブフレームタイプとしてのサブフレームの中で、データを送信することと、第２のサブフレームタイプとしてのサブフレーム内で、その送信の受信の確認応答を受信することとを含み得る。いくつかの例では、方法は、第２のサブフレームタイプとしてのサブフレーム内で、送信を受信することと、第２のサブフレームタイプとしての、サブフレーム内または後続のサブフレーム内で、その送信の受信の確認応答を送信することとを含み得る。いくつかの例によれば、第１のサブフレームタイプとしてのサブフレームが、周波数分割複信（ＦＤＤ：frequency division duplexed）、時分割複信（ＴＤＤ：time division duplexed）、または補助ダウンリンク（ＳＤＬ：supplemental downlink）サブフレームであり得、第２のサブフレームタイプとしてのサブフレームが、ＦＤＤ、ＴＤＤ、またはＳＤＬバーストサブフレームであり得る。
【００１２】
[0012]いくつかの例では、ワイヤレス通信システムは、２つ以上の別個のコンポーネントキャリアを使用して、第１のサブフレームタイプとしての１つまたは複数のサブフレームを同時に送信することと、コンポーネントキャリアのうちの少なくとも１つが第１の帯域幅を有する、第２の帯域幅を有する１つのコンポーネントキャリアを使用して、第２のサブフレームタイプとしてのサブフレームを送信することと、第２の帯域幅が第１の帯域幅よりも大きい、を行うように構成され得る。第１のサブフレームタイプとしての１つまたは複数のサブフレームおよび第２のサブフレームタイプとしてのサブフレームが、いくつかの例では、フレーム内で送信され得る。いくつかの例では、第１のサブフレームタイプを有するサブフレームが、１４個以下のＯＦＤＭまたはＳＣ−ＦＤＭシンボルを含み得、第２のサブフレームタイプを有するサブフレームが、１４個よりも多いＯＦＤＭまたはＳＣ−ＦＤＭシンボルを含み得る。
【００１３】
[0013]例示的な実施形態の第２のセットによれば、ワイヤレス通信ネットワークにおける階層的通信のための方法は、２つ以上の別個のキャリアを使用して、第１のサブフレームタイプを有する１つまたは複数のサブフレームを、フレームの中で同時に送信することと、キャリアのうちの少なくとも１つが第１の帯域幅を有する、第２の帯域幅を有する少なくとも１つのキャリアを使用して、第２のサブフレームタイプとしてのサブフレームを、フレームの中で送信することと、第２の帯域幅が第１の帯域幅よりも大きい、を含み得る。送信は、たとえば、ユーザ機器（ＵＥ）または基地局によって実行され得る。
【００１４】
[0014]いくつかの例では、第１のサブフレームタイプを有する１つまたは複数のサブフレームによって占有される無線周波数スペクトルが、第２のサブフレームタイプとしてのサブフレームによって占有される無線周波数スペクトルの少なくとも一部分と重複し得る。第２のサブフレームタイプとしてのサブフレームは、いくつかの例では、いくつかのシンボルを含み得、シンボルの第１のサブセットが、それぞれが第１の帯域幅を有する２つ以上のキャリアを使用して同時に送信され得、シンボルの第２のサブセットが、第２の帯域幅を有する少なくとも１つのキャリアを使用して送信され得る。第１のサブフレームタイプが、例では、送信とその送信の受信の確認応答との間に第１のＲＴＴを有し得、第２のサブフレームタイプが、送信とその送信の受信の確認応答との間に第１のＲＴＴよりも短い第２のＲＴＴを有し得る。
【００１５】
[0015]いくつかの例では、第１のサブフレームタイプが、第１の持続時間のシンボルを含み得、第２のサブフレームタイプが、第１の持続時間よりも短い第２の持続時間のシンボルを含み得る。第２のサブフレームタイプが、いくつかの例では、第１の持続時間および第２の持続時間のシンボルを含み得る。いくつかの例では、第１のサブフレームタイプとしてのサブフレームが、ＦＤＤ、ＴＤＤ、またはＳＤＬサブフレームであり得、第２のサブフレームタイプとしてのサブフレームが、ＦＤＤ、ＴＤＤ、またはＳＤＬバーストサブフレームであり得る。
【００１６】
[0016]例示的な実施形態の別のセットによれば、ワイヤレス通信システム内の階層的通信のための装置は、ワイヤレス通信システム内で動作するように構成するための手段と、ワイヤレス通信システムが、第１のレイヤを通して部分的に定義され得、第１のレイヤ送信が、送信とその送信の受信の確認応答との間に第１のラウンドトリップ時間（ＲＴＴ）を有し得る第１のサブフレームタイプを有し得る、第１のレイヤと多重化された第２のレイヤにおいて動作するための手段と、第２のレイヤ送信が、第１のＲＴＴよりも小さい第２のＲＴＴを有し得る第２のサブフレームタイプを有し得る、を含み得る。
【００１７】
[0017]いくつかの例では、装置は、上述した例示的な実施形態の第１のセットの１つまたは複数の態様を実装するための手段を含み得る。
【００１８】
[0018]例示的な実施形態のさらなるセットによれば、ワイヤレス通信ネットワークにおける階層的通信のための装置は、２つ以上の別個のキャリアを使用して、第１のサブフレームタイプを有する１つまたは複数のサブフレームを、フレームの中で同時に送信するための手段と、キャリアのうちの少なくとも１つが第１の帯域幅を有する、第２の帯域幅を有する少なくとも１つのキャリアを使用して、第２のサブフレームタイプとしてのサブフレームを、フレームの中で送信するための手段と、第２の帯域幅が第１の帯域幅よりも大きい、を含み得る。
【００１９】
[0019]いくつかの例では、装置は、上述した例示的な実施形態の第２のセットの１つまたは複数の態様を実装するための手段を含み得る。
【００２０】
[0020]例示的な実施形態の別のセットによれば、ワイヤレス通信のための装置は、プロセッサと、プロセッサと電子通信しているメモリと、メモリに記憶された命令とを含み得る。命令は、ワイヤレス通信システム内で動作するように構成することと、ワイヤレス通信システムが、第１のレイヤを通して部分的に定義され得、第１のレイヤ送信が、送信とその送信の受信の確認応答との間に第１のラウンドトリップ時間（ＲＴＴ）を有し得る第１のサブフレームタイプを有し得る、第１のレイヤと多重化された第２のレイヤにおいて動作することと、第２のレイヤ送信が、第１のＲＴＴよりも小さい第２のＲＴＴを有し得る第２のサブフレームタイプを有し得る、を装置にさせるようにプロセッサによって実行可能であり得る。
【００２１】
[0021]いくつかの例では、プロセッサは、上述した例示的な実施形態の第１のセットの１つまたは複数の態様を実装するための、メモリ上に記憶された命令を実行するように構成され得る。
【００２２】
[0022]例示的な実施形態のさらなるセットによれば、ワイヤレス通信のための装置は、プロセッサと、プロセッサと電子通信しているメモリと、メモリに記憶された命令とを含み得る。命令は、２つ以上の別個のキャリアを使用して、第１のサブフレームタイプを有する１つまたは複数のサブフレームを、フレームの中で同時に送信することと、キャリアのうちの少なくとも１つが第１の帯域幅を有する、第２の帯域幅を有する少なくとも１つのキャリアを使用して、第２のサブフレームタイプとしてのサブフレームを、フレームの中で送信することと、第２の帯域幅が第１の帯域幅よりも大きい、を装置にさせるようにプロセッサによって実行可能であり得る。
【００２３】
[0023]いくつかの例では、プロセッサは、上述した例示的な実施形態の第２のセットの１つまたは複数の態様を実装するための、メモリ上に記憶された命令を実行するように構成され得る。
【００２４】
[0024]例示的な実施形態の別のセットによれば、ワイヤレス通信のためのコンピュータプログラム製品は、ワイヤレス通信システム内で動作するように構成することと、ワイヤレス通信システムが、第１のレイヤを通して部分的に定義され得、第１のレイヤ送信が、送信とその送信の受信の確認応答との間に第１のラウンドトリップ時間（ＲＴＴ）を有し得る第１のサブフレームタイプを有し得る、第１のレイヤと多重化された第２のレイヤにおいて動作することと、第２のレイヤ送信が、第１のＲＴＴよりも小さい第２のＲＴＴを有し得る第２のサブフレームタイプを有し得る、をワイヤレス通信装置にさせるようにプロセッサによって実行可能な命令を記憶する非一時的コンピュータ可読媒体を含み得る。
【００２５】
[0025]いくつかの例では、命令は、ワイヤレス通信装置に、上述した例示的な実施形態の第１のセットの１つまたは複数の態様を実装させるように構成され得る。
【００２６】
[0026]例示的な実施形態の別のセットによれば、ワイヤレス通信のためのコンピュータプログラム製品は、２つ以上の別個のキャリアを使用して、第１のサブフレームタイプを有する１つまたは複数のサブフレームを、フレームの中で同時に送信することと、キャリアのうちの少なくとも１つが第１の帯域幅を有する、第２の帯域幅を有する少なくとも１つのキャリアを使用して、第２のサブフレームタイプとしてのサブフレームを、フレームの中で送信することと、第２の帯域幅が第１の帯域幅よりも大きい、をワイヤレス通信装置にさせるようにプロセッサによって実行可能な命令を記憶する非一時的コンピュータ可読媒体を含み得る。
【００２７】
[0027]いくつかの例では、命令は、ワイヤレス通信装置に、上述した例示的な実施形態の第２のセットの１つまたは複数の態様を実装させるように構成され得る。
【００２８】
[0028]記載される方法および装置の適用性のさらなる範囲は、以下の詳細な説明、特許請求の範囲、および図面から明らかになろう。詳細な説明の趣旨および範囲内の様々な変更および改変が当業者には明らかになるので、詳細な説明および特定の例は、例示として与えられるものにすぎない。
【００２９】
[0029]以下の図面を参照することによって、本発明の性質および利点のさらなる理解が得られ得る。添付の図において、同様の構成要素または特徴は同じ参照ラベルを有する場合がある。さらに、同じタイプの様々な構成要素は、参照ラベルの後に、ダッシュと、同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれか１つに適用可能である。
【図面の簡単な説明】
【００３０】
【図１】[0030]本開示の一態様による、電気通信システムの一例を概念的に示すブロック図。
【図２】[0031]本開示の一態様による、ワイヤレス通信システムにおいて使用され得るダウンリンクフレーム構造の一例を示す図。
【図３Ａ】[0032]本開示の一態様による、ワイヤレス通信システムの異なるレイヤ上で送信され得る無線フレームおよび様々なサブフレームの一例を概念的に示すブロック図。
【図３Ｂ】[0033]本開示の一態様による、ワイヤレス通信システムの異なるレイヤ上で送信され得る無線フレームおよび様々なサブフレームの一例を概念的に示すブロック図。
【図４】[0034]本開示の一態様による、ワイヤレス通信システムの異なるレイヤ上で送信され得る無線フレーム、および様々なサブフレームに対する送信確認応答タイミングの一例を概念的に示すブロック図。
【図５】[0035]本開示の一態様による、ワイヤレス通信システムの異なるレイヤ上で送信され得る無線フレームおよび様々なサブフレームの別の例を概念的に示すブロック図。
【図６】[0036]本開示の一態様による、ワイヤレス通信システムの異なるレイヤ上で送信され得る無線フレームおよび様々なサブフレームの別の例を概念的に示すブロック図。
【図７】[0037]本開示の態様による、キャリアアグリゲーションを利用し得るワイヤレス通信システムの一部分を概念的に示すブロック図。
【図８Ａ】[0038]本開示の一態様による、ワイヤレス通信システムの異なるレイヤ上で送信され得る、異なるコンポーネントキャリアのための無線フレームおよびスケーラブルな帯域幅のサブフレームの一例を概念的に示すブロック図。
【図８Ｂ】[0039]本開示の一態様による、ワイヤレス通信システムの異なるレイヤ上で送信され得る、異なるコンポーネントキャリアのための無線フレームおよびスケーラブルな帯域幅のサブフレームの一例を概念的に示すブロック図。
【図９】[0040]本開示の一態様による、ワイヤレス通信システムの異なるレイヤ上で送信され得る、異なるコンポーネントキャリアのための無線フレームおよびスケーラブルな帯域幅のサブフレームの別の例を概念的に示すブロック図。
【図１０】[0041]本開示の一態様による、ワイヤレス通信システムの異なるレイヤ上で送信され得る、異なるコンポーネントキャリアのための無線フレームおよびスケーラブルな帯域幅のサブフレームの別の例を概念的に示すブロック図。
【図１１Ａ】[0042]本開示の態様による、ワイヤレス通信において使用するためのｅＮＢまたはＵＥなどのデバイスを概念的に示すブロック図。
【図１１Ｂ】本開示の態様による、ワイヤレス通信において使用するためのｅＮＢまたはＵＥなどのデバイスを概念的に示すブロック図。
【図１２】[0043]本開示の態様による、ｅＮＢの設計を概念的に示すブロック図。
【図１３】[0044]本開示の態様による、ＵＥの設計を概念的に示すブロック図。
【図１４】[0045]本開示の態様による、ワイヤレス通信において使用するためのｅＮＢまたはＵＥのトランシーバモジュールを概念的に示すブロック図。
【図１５】[0046]本開示の態様による、ＵＥおよびｅＮＢの一例を概念的に示すブロック図。
【図１６】[0047]本開示の態様による、ワイヤレス通信の方法の一例を概念的に示すフローチャート。
【図１７】[0048]本開示の態様による、ワイヤレス通信の方法の一例を概念的に示すフローチャート。
【図１８】[0049]本開示の態様による、ワイヤレス通信の方法の一例を概念的に示すフローチャート。
【図１９】[0050]本開示の態様による、ワイヤレス通信の方法の一例を概念的に示すフローチャート。
【詳細な説明】
【００３１】
[0051]ワイヤレス通信システム内での階層的通信のための技法が説明される。ｅＮＢおよび／またはＵＥは、様々な例によれば、複数の階層的レイヤを通して部分的に定義されたワイヤレス通信システム内で動作するように構成され得る。第１の階層的レイヤは、第１のサブフレームタイプを用いた第１のレイヤ送信をサポートし得、第２の階層的レイヤは、第２のサブフレームタイプを用いた第２のレイヤ送信をサポートし得る。いくつかの例では、上述のように、受信機は、たとえば、ＨＡＲＱ方式を通じて送信の肯定的な確認応答（ＡＣＫ）または否定応答（ＮＡＣＫ）を提供することによって、その送信の受信に確認応答し得る。第１のレイヤにおいて動作する受信機は、例では、送信が受信されたサブフレームに後続するサブフレームの中で、送信の受信に確認応答し得る。第２のレイヤにおいて動作する受信機は、例では、送信が受信されたサブフレームと同じサブフレームの中で、送信の受信に確認応答し得る。ＡＣＫ／ＮＡＣＫを送信し再送信を受信するために必要とされる時間は、ラウンドトリップ時間（ＲＴＴ）と呼ばれることがあり、第２のサブフレームタイプとしてのサブフレームは、第１のサブフレームタイプとしてのサブフレームにとってのＲＴＴよりも短い第２のＲＴＴを有し得る。
【００３２】
[0052]そのような例では、第２のレイヤにおいて動作する受信機にとってのレイテンシは、第１のレイヤのレイテンシに比べて低減され得る。低減されたレイテンシは、いくつかの例では、比較的迅速なＡＣＫ／ＮＡＣＫおよび必要な再送信を通じて、拡張されたデータ転送レート（enhanced data transfer rates）を提供し得る。たとえば、送信機と受信機との間でのデータのストリームの、信頼でき、順序付けられ、誤り検査された配送を提供するために、伝送制御プロトコル（ＴＣＰ）が使用され得る。ＴＣＰは、ＴＣＰセグメント誤り率（TCP segment error rates）にとって比較的厳しい要件を有することがあり、この影響は、データレートが増大されたときになお一層重大である。所望のＴＣＰセグメント誤り率を達成するために、パケットは、１回以上再送信される必要があり得る。ＡＣＫ／ＮＡＣＫおよび再送信のためのレイテンシは、ＴＣＰセグメント誤り率を達成するためにそれが費やす時間にそのように影響を及ぼすことがあり、達成可能である全体的なデータレートをそのように低減することがある。したがって、そのような確認応答および再送信のための低減されたレイテンシは、ＴＣＰセグメント誤り率を達成するための時間を短縮することができ、それによって、拡張されたデータレートを可能にし得る。したがって、第２の階層的レイヤにおいて、排他的に、または第１の階層的レイヤにおける動作との組合せ、のいずれかで動作する受信機は、第１の階層的レイヤにおいて排他的に動作する受信機に比べて拡張されたデータレートをサポートし得る。
【００３３】
[0053]いくつかのさらなる例では、ｅＮＢおよび／またはＵＥは、２つ以上の別個のキャリアを使用して、第１のサブフレームタイプを有する１つまたは複数のサブフレームをフレーム内で同時に送信し得、１つのキャリアを使用して、第２のサブフレームタイプとしてのサブフレームをフレーム内で送信し得る。第１のサブフレームタイプを送信するキャリアのうちの１つまたは複数は、第１の帯域幅を有してよく、第２のサブフレームタイプを送信するキャリアは、第１の帯域幅よりも大きい第２の帯域幅を有してよい。いくつかの例では、第１の帯域幅は２０ＭＨｚであってよく、第２の帯域幅は４０ＭＨｚ、８０ＭＨｚ、または１６０ＭＨｚであってよい。いくつかの例では、第２のサブフレームタイプとしてのサブフレームのためのスケーラブルな帯域幅は、拡張されたデータレートを提供するために、上述されたような短いＲＴＴと組み合わされてよい。
【００３４】
[0054]本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語はしばしば互換的に使用される。ＣＤＭＡシステムは、ＣＤＭＡ２０００、ユニバーサル地上無線アクセス（ＵＴＲＡ）などの無線技術を実装することができる。ＣＤＭＡ２０００は、ＩＳ−２０００、ＩＳ−９５およびＩＳ−８５６規格を包含する。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装することができる。ＯＦＤＭＡシステムは、ウルトラ・モバイル・ブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装することができる。ＵＴＲＡおよびＥ−ＵＴＲＡは、ユニバーサル・モバイル・テレコミュニケーションシステム（ＵＭＴＳ）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する組織からの文書に記載されている。本明細書で説明する技法は、上述のシステムおよび無線技術、ならびに他のシステムおよび無線技術のために使用され得る。しかしながら、以下の説明は、例としてＬＴＥシステムを説明し、以下の説明の大部分においてＬＴＥ用語が使用されるが、本技法はＬＴＥ適用例以外に適用可能である。
【００３５】
[0055]したがって、以下の説明は、例を与えるものであり、特許請求の範囲に記載される範囲、適用可能性、または構成の限定ではない。本開示の趣旨および範囲から逸脱することなく、説明する要素の機能および構成において変更が行われ得る。様々な例は、様々な手順または構成要素を適宜に省略、置換、または追加し得る。たとえば、説明する方法は、説明する順序とは異なる順序で実施され得、様々なステップが追加、省略、または組み合わされ得る。また、いくつかの例に関して説明される特徴は、他の例において組み合わされ得る。
【００３６】
[0056]最初に図１を参照すると、図は、本開示の一態様によるワイヤレス通信システム１００の一例を示す。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５のうちのいくつかは、様々な例ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５は、バックホールリンク１３２を介してコアネットワーク１３０と制御情報および／またはユーザデータを通信し得る。例では、アクセスポイント１０５は、ワイヤードまたはワイヤレス通信リンクであり得るバックホールリンク１３４を介して互いに直接あるいは間接的に通信し得る。ワイヤレス通信システム１００は、複数のキャリア（異なる周波数の波形信号）上での動作をサポートし得る。マルチキャリア送信機は、変調された信号を複数のキャリア上で同時に送信することができる。たとえば、各通信リンク１２５は、上記で説明した様々な無線技術に従って変調されたマルチキャリア信号であり得る。各変調された信号は、異なるキャリア上で送られてよく、制御情報（たとえば、基準信号、制御チャネルなど）、オーバーヘッド情報、データなどを搬送し得る。
【００３７】
[0057]いくつかの例では、ワイヤレス通信システム１００の少なくとも一部分は、別の階層的レイヤに対してレイテンシが低減された階層的レイヤにおける送信を、ＵＥ１１５のうちの１つまたは複数およびアクセスポイント１０５のうちの１つまたは複数がサポートするように構成され得る、複数の階層的レイヤにおいて動作するように構成され得る。いくつかの例では、ハイブリッドＵＥ１１５−ａは、第１のサブフレームタイプを用いた第１のレイヤ送信をサポートする第１の階層的レイヤと、第２のサブフレームタイプを用いた第２のレイヤ送信をサポートする第２の階層的レイヤの両方において、アクセスポイント１０５−ａと通信し得る。たとえば、アクセスポイント１０５−ａは、第１のサブフレームタイプとしてのサブフレームと時分割複信にされた（time division duplexed）、第２のサブフレームタイプとしてのサブフレームを送信し得る。
【００３８】
[0058]いくつかの例では、ハイブリッドＵＥ１１５−ａは、たとえば、送信に対してＨＡＲＱ方式を通じてＡＣＫ／ＮＡＣＫを提供することによって、送信の受信に確認応答し得る。第１の階層的レイヤにおける送信に対するハイブリッドＵＥ１１５−ａからの確認応答は、いくつかの例では、送信が受信されたサブフレームに後続する事前定義された数のサブフレームの後、提供され得る。ハイブリッドＵＥ１１５−ａは、第２の階層的レイヤにおいて動作するとき、例では、送信が受信されたサブフレームと同じサブフレームの中で、受信に確認応答し得る。ＡＣＫ／ＮＡＣＫを送信し再送信を受信するために必要とされる時間は、ラウンドトリップ時間（ＲＴＴ）と呼ばれることがあり、したがって、第２のサブフレームタイプとしてのサブフレームは、第１のサブフレームタイプとしてのサブフレームにとってのＲＴＴよりも短い第２のＲＴＴを有し得る。
【００３９】
[0059]他の例では、第２のレイヤＵＥ１１５−ｂは、第２の階層的レイヤのみにおいてアクセスポイント１０５−ｂと通信し得る。したがって、ハイブリッドＵＥ１１５−ａおよび第２のレイヤＵＥ１１５−ｂは、第２の階層的レイヤにおいて通信し得るＵＥ１１５の第２のクラスに属し得、レガシーＵＥ１１５は、第１の階層的レイヤのみにおいて通信し得るＵＥ１１５の第１のクラスに属し得る。アクセスポイント１０５−ｂおよびＵＥ１１５−ｂは、第２のサブフレームタイプとしてのサブフレームの送信を通じて、第２の階層的レイヤにおいて通信し得る。アクセスポイント１０５−ｂは、第２のサブフレームタイプとしてのサブフレームを排他的に送信し得、または第２のサブフレームタイプとしてのサブフレームと時分割多重化された、第１の階層的レイヤにおいて第１のサブフレームタイプとしての１つまたは複数のサブフレームを送信し得る。第２のレイヤＵＥ１１５−ｂは、アクセスポイント１０５−ｂが第１のサブフレームタイプとしてのサブフレームを送信する場合、第１のサブフレームタイプとしてのそのようなサブフレームを無視してよい。したがって、第２のレイヤＵＥ１１５−ｂは、送信が受信されるサブフレームと同じサブフレームの中で、送信の受信に確認応答し得る。したがって、第２のレイヤＵＥ１１５−ｂは、第１の階層的レイヤにおいて動作するＵＥ１１５と比較して低減されたレイテンシを伴って動作し得る。
【００４０】
[0060]アクセスポイント１０５は、１つまたは複数のアクセスポイントアンテナを介してＵＥ１１５とワイヤレス通信し得る。アクセスポイント１０５サイトの各々は、それぞれのカバレージエリア１１０に対して通信カバレージを提供し得る。いくつかの例では、アクセスポイント１０５は、トランシーバ基地局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術などの、異なる無線技術を利用し得る。アクセスポイント１０５は、同じまたは異なるアクセスネットワークまたは事業者展開に関連付けられ得る。同じもしくは異なるタイプのアクセスポイント１０５のカバレージエリアを含み、同じもしくは異なる無線技術を利用し、および／または、同じもしくは異なるアクセスネットワークに属する、異なるアクセスポイント１０５のカバレージエリアが重複することがある。
【００４１】
[0061]ＬＴＥ／ＬＴＥ−Ａネットワーク通信システムでは、アクセスポイント１０５を記述するために発展型ノードＢ（ｅノードＢまたはｅＮＢ）という用語が通常使用され得る。ワイヤレス通信システム１００は、異なるタイプのアクセスポイントが様々な地理的領域に対してカバレージを与える、異機種ＬＴＥ／ＬＴＥ−Ａネットワークであり得る。たとえば、各アクセスポイント１０５は、マクロセル、ピコセル、フェムトセル、および／または他のタイプのセルに対して通信カバレージを与え得る。ピコセル、フェムトセル、および／または他のタイプのセルなどのスモールセルは、低電力ノード（low power nodes）すなわちＬＰＮを含み得る。マクロセルは、一般に、比較的大きい地理的エリア（たとえば、半径数キロメートル）をカバーし、ネットワークプロバイダのサービスに加入しているＵＥ１１５による無制限アクセスを可能にし得る。スモールセルは、一般に、比較的小さい地理的エリアをカバーすることになり、ネットワークプロバイダのサービスに加入しているＵＥ１１５による無制限アクセスを可能にし得、たとえば、無制限アクセスに加えて、スモールセルとの関連を有するＵＥ１１５（たとえば、限定加入者グループ（ＣＳＧ：closed subscriber group）中のＵＥ、自宅の中のユーザ用のＵＥなど）による制限付きアクセスも提供し得る。マクロセル用のｅＮＢは、マクロｅＮＢと呼ばれることがある。スモールセル用のｅＮＢは、スモールセルｅＮＢと呼ばれることがある。ｅＮＢは、１つまたは複数（たとえば、２つ、３つ、４つなど）のセルをサポートし得る。
【００４２】
[0062]コアネットワーク１３０は、バックホールリンク１３２（たとえば、Ｓ１インターフェースなど）を介してｅＮＢまたは他のアクセスポイント１０５と通信し得る。アクセスポイント１０５はまた、たとえば、バックホールリンク１３４（たとえば、Ｘ２インターフェースなど）を介しておよび／またはバックホールリンク１３２を介して（たとえば、コアネットワーク１３０を通して）直接または間接的に、互いに通信し得る。ワイヤレス通信システム１００は、同期動作または非同期動作をサポートし得る。同期動作の場合、アクセスポイント１０５は同様のフレームタイミングを有し得、異なるアクセスポイント１０５からの送信は、近似的に時間的に整合され得る。非同期動作の場合、アクセスポイント１０５は異なるフレームタイミングを有し得、異なるアクセスポイント１０５からの送信は、時間的に整合されないことがある。さらに、第１の階層的レイヤおよび第２の階層的レイヤにおける送信は、アクセスポイント１０５の間で同期されてよく、またはされなくてもよい。本明細書で説明する技法は、同期動作または非同期動作のいずれかに使用され得る。
【００４３】
[0063]ＵＥ１１５はワイヤレス通信システム１００全体にわたって分散され、各ＵＥ１１５は固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅノードＢ、スモールセルｅノードＢ、リレーなどと通信することが可能であり得る。ＵＥ１１５は、セルラーもしくは他のＷＷＡＮアクセスネットワーク、またはＷＬＡＮアクセスネットワークなどの異なるアクセスネットワークを介して通信することも可能であり得る。
【００４４】
[0064]ワイヤレス通信システム１００において示す通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、いくつかの例では、通信リンク１２５において多重化され得る各階層的レイヤの送信を搬送し得る。ＵＥ１１５は、たとえば、多入力多出力（ＭＩＭＯ：Multiple Input Multiple Output）、キャリアアグリゲーション（ＣＡ：carrier aggregation）、多地点協調（ＣｏＭＰ：Coordinated Multi-Point）、または他の方式を通して、複数のアクセスポイント１０５と共同通信するように構成され得る。ＭＩＭＯ技法は、複数のデータストリームを送信するために、アクセスポイント１０５上の複数のアンテナおよび／またはＵＥ１１５上の複数のアンテナを使用する。キャリアアグリゲーションは、データ送信のために、同じまたは異なるサービングセル上で２つ以上のコンポーネントキャリアを利用し得る。ＣｏＭＰは、ＵＥ１１５のための全体的な送信品質を改善し、ならびにネットワークおよびスペクトルの利用を高めるために、いくつかのアクセスポイント１０５による送信および受信の協調のための技法を含み得る。
【００４５】
[0065]述べたように、いくつかの例では、アクセスポイント１０５およびＵＥ１１５は、複数のキャリア上で送信するためにキャリアアグリゲーションを利用し得る。いくつかの例では、アクセスポイント１０５およびＵＥ１１５は、２つ以上の別個のキャリアを使用して、それぞれが第１のサブフレームタイプを有する１つまたは複数のサブフレームをフレーム内で第１の階層的レイヤにおいて同時に送信し得る。各キャリアは、たとえば、２０ＭＨｚとしての帯域幅を有し得るが、他の帯域幅が利用されてよい。ハイブリッドＵＥ１１５−ａ、および／または第２のレイヤＵＥ１１５−ｂは、いくつかの例では、別個のキャリアのうちの１つまたは複数のキャリアの帯域幅よりも大きい帯域幅を有する単一のキャリアを利用する第２の階層的レイヤにおいて、１つまたは複数のサブフレームを受信および／または送信し得る。たとえば、第１の階層的レイヤにおいてキャリアアグリゲーション方式で４つの別個の２０ＭＨｚキャリアが使用される場合、第２の階層的レイヤにおいて単一の８０ＭＨｚキャリアが使用されてよい。８０ＭＨｚキャリアは、４つの２０ＭＨｚキャリアのうちの１つまたは複数によって使用される無線周波数スペクトルに少なくとも部分的に重複する無線周波数スペクトルの一部分を占有し得る。いくつかの例では、第２の階層的レイヤタイプのためのスケーラブルな帯域幅は、さらに拡張されたデータレートを提供するために上述されたようなより短いＲＴＴをもたらすための、組み合わされた技法であってよい。
【００４６】
[0066]ワイヤレス通信システム１００によって採用され得る異なる動作モードの各々は、周波数分割複信（ＦＤＤ）または時分割複信（ＴＤＤ）に従って動作し得る。いくつかの例では、異なる階層的レイヤが、異なるＴＤＤまたはＦＤＤモードに従って動作してよい。たとえば、第１の階層的レイヤがＦＤＤに従って動作してよく、第２の階層的レイヤがＴＤＤに従って動作してよい。いくつかの例では、ＯＦＤＭＡ通信信号が、各階層的レイヤ向けのＬＴＥダウンリンク送信のための通信リンク１２５の中で使用されてよく、シングルキャリア周波数分割多元接続（ＳＣ−ＦＤＭＡ：single carrier frequency division multiple access）通信信号が、各階層的レイヤにおけるＬＴＥアップリンク送信のための通信リンク１２５の中で使用されてよい。ワイヤレス通信システム１００などのシステムにおける階層的レイヤの実装形態に関するさらなる詳細、ならびにそのようなシステムにおける通信に関する他の特徴および機能が、図２〜図１９を参照しながら以下に提供される。
【００４７】
[0067]図２は、図１を参照しながら上記で説明したワイヤレス通信システム１００を含む、ワイヤレス通信システムにおいて使用され得るダウンリンクフレーム構造２００の一例を示す図である。たとえば、フレーム構造２００は、ＬＴＥ／ＬＴＥ−Ａまたは類似のシステムにおいて使用され得る。フレーム２１０（１０ｍｓ）は、１０個の同じサイズのサブフレーム（たとえば、サブフレーム２２５、２３０など）に分割され得る。いくつかの例では、フレーム２１０内の１つまたは複数のサブフレームが第１の階層的レイヤの送信のために使用されるとともに、フレーム２１０内の１つまたは複数の他のサブフレームが第２の階層的レイヤの送信のために使用されて、フレーム２１０が第１の階層的レイヤと第２の階層的レイヤの両方の送信のために使用され得る。たとえば、サブフレーム２２５および２３０が第１の階層的レイヤの送信のために使用されてよく、サブフレーム２３５、２４０、および２４５が第２の階層的レイヤの送信のために使用されてよい。いくつかの例での第１の階層的レイヤがレガシーＬＴＥ／ＬＴＥ−Ａレイヤに相当してよく、第２の階層的レイヤが低レイテンシレイヤに相当してよい。
【００４８】
[0068]第１の階層的レイヤがレガシーＬＴＥ／ＬＴＥ−Ａレイヤに相当する例では、第１のレイヤサブフレームは、２つの連続したタイムスロット２６２および２６４を含み得る。ＯＦＤＭＡコンポーネントキャリア２５０は、２つのタイムスロット２６２、２６４を表すリソースグリッドとして示され得、各タイムスロットは、ノーマルサイクリックプレフィックスに対して７つのＯＦＤＭシンボル２６６を含む。リソースグリッドは、複数のリソース要素２５２に分割され得る。レガシーＬＴＥ／ＬＴＥ−Ａでは、リソースブロック２５６は、周波数領域において１２個の連続したサブキャリア２６８を含み得、各ＯＦＤＭシンボル２６６の中のノーマルサイクリックプレフィックスに対して、時間領域において７個の連続したＯＦＤＭシンボル２６６、すなわち、８４個のリソース要素２５２を含み得る。サブキャリア２６８に対するトーン間隔（tone spacing）は１５ｋＨｚであり得、ＯＦＤＭシンボル２６６に対する有用なシンボル持続時間は６６．６７μｓであり得る。ＯＦＤＭシンボル２６６はまた、ノーマルレガシーＬＴＥサイクリックプレフィックスに対して、各スロット２６２、２６４の中の最初のＯＦＤＭシンボル２６６について５．１μｓ、または他のＯＦＤＭシンボル２６６について４．６９μｓであるサイクリックプレフィックスを含み得る。言及されたように、第２の階層的レイヤが低レイテンシレイヤに相当する例では、低レイテンシまたはバーストサブフレームは、いくつかのダウンリンクサブフレームを置き換え得る（また、同じ持続時間のものであり得る）。バーストサブフレームは、いくつかの例によれば、サブフレーム内により多くのシンボルを含み得、各シンボルは、レガシーＯＦＤＭ（すなわち、ＳＣ−ＦＤＭ）シンボル２６６に比べて短縮されたシンボル持続時間を有し得る。バーストモードシンボルはまた、レガシーシンボルに比べて、サブキャリアに対する増大したトーン間隔を有し得、いくつかの例では、１２０ｋＨｚとしてのトーン間隔を有し得る。より詳細な例が、図３Ａ〜図１０を参照しながら説明される。
【００４９】
[0069]Ｒ（たとえば、２５４）と指定されるリソース要素のうちのいくつかは、ＤＬ基準信号（ＤＬ−ＲＳ）を含み得る。ＤＬ−ＲＳは、（共通ＲＳと呼ばれることもある）セル固有ＲＳ（ＣＲＳ）と、ＵＥ固有ＲＳ（ＵＥ−ＲＳ）とを含み得る。ＵＥ−ＲＳは、対応する物理ＤＬ共有チャネル（ＰＤＳＣＨ）２６０がマッピングされるリソースブロック上のみで送信され得る。各リソース要素によって搬送されるビット数は、変調方式に依存し得る。
【００５０】
[0070]図２に示すように、物理ダウンリンク制御チャネル（ＰＤＣＣＨ）２５５は、物理ダウンリンク共有チャネル（ＰＤＳＣＨ）２６０と時分割多重化され得、第１のレイヤサブフレーム２３０の第１の領域内のコンポーネントキャリア２５０の帯域幅全体内に完全に分散され得る。図２に示す例では、ＰＤＣＣＨ２５５は、サブフレーム２３０の最初の３つのシンボルを占める。ＰＤＣＣＨ２５５は、サブフレーム２３０に対するコンポーネントキャリア帯域幅、および制御情報の量に基づいて適切であるように、より多いまたはより少ないシンボルを有し得る。
【００５１】
[0071]ＰＤＣＣＨは、制御チャネル要素（ＣＣＥ：control channel elements）の中でダウンリンク制御情報（ＤＣＩ：downlink control information）を搬送し得る。ＤＣＩは、たとえば、ダウンリンクスケジューリング割当て、アップリンクリソース許可、送信方式、アップリンク電力制御、ハイブリッド自動リターン再送要求（ＨＡＲＱ：hybrid automatic return repeat request）情報、変調およびコーディング方式（ＭＣＳ：modulation and coding schemes）に関する情報ならびに他の情報を含み得る。いくつかの例では、ＤＣＩは、各階層的レイヤのための情報を含み得る。他の例では、異なるサブフレームタイプとしてのサブフレームが、異なる階層的レイヤのためのＤＣＩを含み得る。ＤＣＩは、ＵＥ固有（専用）またはセル固有（共通）であり得、ＤＣＩのフォーマットに応じてＰＤＣＣＨ内の異なる専用および共通の探索空間の中に配置され得る。
【００５２】
[0072]様々な例では、ダウンリンク送信のための確認応答／否定応答（ＡＣＫ／ＮＡＣＫ）は、物理アップリンク制御チャネル（ＰＵＣＣＨ）を使用するハイブリッドＡＲＱ確認応答（ＨＡＲＱ−ＡＣＫ）によって実行され得る。ＨＡＲＱ−ＡＣＫのためのＰＵＣＣＨリソースは、ダウンリンク送信がいつ受信されるのかに基づいて決定され得る。いくつかの例では、ダウンリンク送信が受信されるサブフレームｋに基づいてＰＵＣＣＨリソースの中で、ＨＡＲＱ−ＡＣＫが送信され得る。レガシーＦＤＤ動作の場合、いくつかの例では、ダウンリンク送信のためのＨＡＲＱ−ＡＣＫは、ダウンリンクサブフレーム（たとえば、ｋ＋４）に基づいて決定されるＰＵＣＣＨサブフレームの中で報告され得る。レガシーＴＤＤ動作の場合、ＨＡＲＱ−ＡＣＫは、ダウンリンクサブフレームｋからいくらかの時間期間に後続する最初の利用可能なアップリンクサブフレーム（たとえば、最初の利用可能なサブフレームｋ＋４、またはその後）の中で提供され得る。第１の階層的レイヤがレガシーＬＴＥ／ＬＴＥ−Ａレイヤに相当する例では、ＨＡＲＱ−ＡＣＫは、数ミリ秒を要することがある。第２の階層的レイヤが（図３Ａ〜図１０を参照しながらより詳細に説明するような）低レイテンシレイヤに相当する例では、確認応答に対するＲＴＴは、（たとえば、サブフレーム内に対して）著しく短縮され得る。図２の例はダウンリンク送信に関して説明されるが、類似の構造およびタイミングが、いくつかの例では、ＳＣ−ＦＤＭＡシンボルを使用して送信され得るアップリンク送信において使用され得る。
【００５３】
[0073]上記で説明したように、様々な例が、図１のワイヤレス通信システム１００などの、複数の階層的レイヤによるワイヤレス通信システムにおける通信を提供する。第１の階層的レイヤにおける通信は、図２に関して上記で説明したようなフレーム構造、スロット、シンボルおよびサブキャリア間隔を使用し得、第２の階層的レイヤにおける通信は、短縮されたシンボル持続時間を有するシンボルを使用し得る。図３Ａは、本開示の一態様による、ワイヤレス通信システムの異なるレイヤ上で送信され得る、無線フレームおよび様々なサブフレームの一例を概念的に示すブロック図３００−ａである。図３Ａの無線フレームは、たとえば、図１を参照しながら説明したワイヤレス通信システム１００の、１つまたは複数のアクセスポイント１０５と１つまたは複数のＵＥ１１５との間の部分を使用して送信され得る。この例では、レガシーＴＤＤフレーム３１０が、ダウンリンクサブフレーム３２５と、特殊サブフレーム３３０と、アップリンクサブフレーム３３５とを含む１０個の１ｍｓサブフレームを含み得る。ダウンリンクサブフレーム３２５、特殊サブフレーム３３０、およびアップリンクサブフレーム３３５は、各１ｍｓサブフレーム内に１４個のシンボル３６６を含む、図２に関して上記で説明したようなサブフレーム構造を含み得る。いくつかの例では、ダウンリンクサブフレーム３２５はダウンリンクＯＦＤＭシンボルを含み得、アップリンクサブフレームはＳＣ−ＦＤＭシンボルを含み得、特殊サブフレーム３３０は、アップリンクＳＣ−ＦＤＭシンボルとダウンリンクＯＦＤＭシンボルの両方を含み得る。
【００５４】
[0074]図３Ａの例では、低レイテンシまたはバーストモードフレーム３２０は、いくつかのダウンリンクサブフレーム３２５、いくつかの特殊サブフレーム３３０、またはいくつかのアップリンクサブフレーム３３５を、バーストサブフレーム３４０と置き換え得る。バーストサブフレーム３４０は、いくつかの例によれば、ダウンリンクサブフレーム３２５、特殊サブフレーム３３０、およびアップリンクサブフレーム３３５と異なる階層的レイヤにおいて送信され得る。バーストサブフレーム３４０は、例では、（本明細書で説明するように、多くの異なるシンボル変形形態が他の例で使用され得るが）８８個のシンボルを含み得る。図３Ａの例では、バーストサブフレーム３４０は、ＴＤＤバーストサブフレームであり得、ダウンリンクシンボル３４５と、特殊シンボル３５０と、アップリンクシンボル３５５とを含み得る。シンボル３４５、３５０、および３５５の各々は、レガシーＯＦＤＭシンボルまたはＳＣ−ＦＤＭシンボル（たとえば、図２のシンボル２６６）に比べて短縮されたシンボル持続時間を有し得、いくつかの例では、８．３３μｓとしての有用なシンボル持続時間と３．０３μｓとしてのサイクリックプレフィックス持続時間とを含む、シンボル当たり１１．３６μｓとしてのシンボル持続時間を有し得る。シンボル３４５、３５０、および３５５は、レガシーシンボルに比べてサブキャリアに対する増大したトーン間隔を有し得、いくつかの例では、１２０ｋＨｚとしてのトーン間隔を有し得る。いくつかの例では、ハイブリッドＵＥ、第２のレイヤＵＥ、および／またはｅＮＢは、第１のシンボル持続時間を有するレガシーシンボル３６６を生成するように構成された単一の内部クロックを利用するレガシーシンボル３６６を生成し得、第２のシンボル持続時間を有するシンボル３４５、３５０、３５５を生成するようにクロックを適合させることによって、バーストサブフレームのシンボル３４５、３５０、３５５を生成し得る。他の例では、レガシーシンボル３６６と、バーストサブフレームのシンボル３４５、３５０、３５５とを生成するために、別個のクロックが使用され得る。
【００５５】
[0075]シンボル３４５、３５０、および３５５は、図２に関して説明した場合と同様に、シンボル内にまたはシンボルにわたって含まれ得る制御チャネルと共有チャネルとを含み得る。いくつかの例では、ハイブリッドＵＥ（たとえば、図１のＵＥ１１５−ａ）は、レガシーサブフレーム３２５、３３０、３３５とバーストサブフレーム３４０の両方を使用して通信するように構成され得る。同様に、第２のレイヤＵＥ（たとえば、図１のＵＥ１１５−ｂ）は、バーストサブフレーム３４０のみを使用して通信するように構成され得、レガシーＵＥは、レガシーサブフレーム３２５、３３０、３３５のみを使用して通信するように構成され得る。ＵＥがただ１つの階層的レイヤにおいて通信し得る例では、他の階層的レイヤのサブフレームは無視されてよい。
【００５６】
[0076]図３Ａの例では、フレーム３２０は３つのバーストサブフレーム３４０を含むが、これは、システム要件、システムの現在の要求、および／または１つまたは複数の他のファクタに基づいて増大または減少することがある。たとえば、ｅＮＢ（図１のアクセスポイント１０５などの）は、第２の階層的レイヤ上での動作のために構成され得る、したがって、いかなるバーストサブフレーム３４０も送信しないＵＥが、それのカバレージエリア内にないと決定し得る。他の場合には、ｅＮＢは、比較的多数のＵＥがそれのカバレージエリアの中にあるとともに、比較的多数のサブフレームをバーストサブフレーム３４０として構成し得ると決定し得る。場合によっては、ｅＮＢは、バーストサブフレームを排他的に送信し得る。そのような構成は、キャリアによって設定され得、半静的であってよく、またはワイヤレス通信システムの状態に基づいて、所与の時間において動的に変化してよい。
【００５７】
[0077]図３Ｂは、本開示の一態様による、ワイヤレス通信システムの異なるレイヤ上で送信され得る無線フレームおよび様々なサブフレームの一例を概念的に示すブロック図３００−ｂである。図３Ｂの無線フレームは、たとえば、図１を参照しながら説明したワイヤレス通信システム１００の、１つまたは複数のアクセスポイント１０５と１つまたは複数のＵＥ１１５との間の部分を使用して送信され得る。図３Ｂは、図３Ａを参照しながら上記で説明したようなダウンリンクサブフレーム３２５、特殊サブフレーム３３０、およびアップリンクサブフレーム３３５と類似の、ダウンリンクサブフレーム３２５−ａと、特殊サブフレーム３３０−ａと、アップリンクサブフレーム３３５−ａとを含み得るバーストモードフレーム３２０−ａを含み得る。さらに、バーストモードフレーム３２０−ａは、いくつかのサブフレームをバーストサブフレーム３６０と置き換え得る。
【００５８】
[0078]図３Ｂの例では、バーストサブフレーム３６０は、ダウンリンク周波数帯域３７０またはアップリンク周波数帯域３７５などのいくつかの周波数帯域を含み得る。バーストサブフレーム３６０がダウンリンクサブフレーム３２５−ａ、特殊サブフレーム３３０−ａ、およびアップリンクサブフレーム３３５−ａと異なる階層的レイヤにおいて送信され得るという点で、バーストサブフレーム３６０は図３Ａのバーストサブフレーム３４０と類似であり得る。バーストサブフレーム３６０は、バーストモードフレーム３２０−ａの他のサブフレームと周波数分割多重化され得る。いくつかの例では、バーストサブフレーム３６０は、図３Ａを参照しながら上記で説明したＴＤＤバーストサブフレームと同様に、ＦＤＤバーストサブフレームと呼ばれることがあり、それらは、ダウンリンク周波数帯域３７０とアップリンク周波数帯域３７５の両方を含み得る。
【００５９】
[0079]ダウンリンク周波数帯域３７０およびアップリンク周波数帯域３７５の各々は、１つまたは複数のサブキャリアから構成され得る。いくつかの例では、周波数帯域３７０または３７５は、シンボル期間の持続時間に応じて１４シンボルまたは８８シンボルにわたり得るが、周波数帯域３７０および３７５は、任意の数のシンボルにわたり得る。各ダウンリンク周波数帯域３７０およびアップリンク周波数帯域３７５は、シンボル内にまたはシンボルにわたって含まれ得る、図２に関して説明したものと類似の制御チャネルと共有チャネルとを含み得る。いくつかの例では、ハイブリッドＵＥ（たとえば、図１のＵＥ１１５−ａ）は、レガシーサブフレーム３２５−ａ、３３０−ａ、３３５−ａとバーストサブフレーム３６０の両方を使用して通信するように構成され得る。同様に、第２のレイヤＵＥ（たとえば、図１のＵＥ１１５−ｂ）は、バーストサブフレーム３６０のみを使用して通信するように構成され得、レガシーＵＥは、レガシーサブフレーム３２５、３３０、３３５のみを使用して通信するように構成され得る。ＵＥがただ１つの階層的レイヤにおいて通信し得る例では、他の階層的レイヤのサブフレームは無視されてよい。
【００６０】
[0080]いくつかの例では、周波数帯域３７０および３７５は、チャネル状態またはカバレージエリア内のＵＥの数に基づき得る周波数スペクトルの、一定の（たとえば、所定の）、半静的な、または動的に変化された部分を使用し得る。図３Ａを参照しながら上記で説明したように、ｅＮＢは、送信されるバーストサブフレームの数を変化させてよく、またはバーストサブフレームを排他的に送信してよい。
【００６１】
[0081]上述のように、たとえば、図１のワイヤレス通信システム１００などのワイヤレス通信システムにおける第２の階層的レイヤは、第１の階層的レイヤと比較してより低いレイテンシを有し得る。図４は、本開示の一態様による、ワイヤレス通信システムの異なる階層的レイヤ上で送信され得る無線フレーム、および様々なサブフレームに対する送信確認応答タイミングの一例を概念的に示すブロック図４００である。図４の無線フレームは、たとえば、図１を参照しながら説明したワイヤレス通信システム１００の、１つまたは複数のアクセスポイント１０５と１つまたは複数のＵＥ１１５との間の部分を使用して送信され得る。この例では、図３Ａに関して説明した場合と同様に、レガシーＴＤＤフレーム４１０は、ダウンリンクサブフレーム４２５と、特殊サブフレーム４３０と、アップリンクサブフレーム４３５とを含む１０個の１ｍｓサブフレームを含み得る。ダウンリンクサブフレーム４２５、特殊サブフレーム４３０、およびアップリンクサブフレーム４３５は、各１ｍｓサブフレーム内に１４個のシンボルを含む、図２に関して上記で説明したようなサブフレーム構造を含み得る。
【００６２】
[0082]図４の例では、低レイテンシまたはバーストモードフレーム４２０は、いくつかのダウンリンクサブフレーム４２５、いくつかの特殊サブフレーム４３０、またはいくつかのアップリンクサブフレーム４３５を、バーストサブフレーム４４０と置き換え得る。バーストサブフレーム４４０は、上記で説明した場合と同様に、ダウンリンクサブフレーム４２５、特殊サブフレーム４３０、およびアップリンクサブフレーム４３５と異なる階層的レイヤにおいて送信され得る。バーストサブフレーム４４０は、例では、８８個のシンボルを含み得、ダウンリンクシンボル４４５と、特殊シンボル４５０と、アップリンクシンボル４５５とを含み得る。シンボル４４５、４５０、および４５５の各々は、図３Ａに関して上記で説明したように、レガシーシンボル（たとえば、図２のシンボル２６６）に比べて短縮されたシンボル持続時間を有し得る。そのような短縮されたシンボル持続時間は、レガシーＨＡＲＱ方式による送信の確認応答に比べて、低減されたレイテンシを伴う送信の確認応答を可能にし得る。
【００６３】
[0083]たとえば、レガシーＴＤＤフレーム４１０では、ＵＥは、ダウンリンク送信をダウンリンクサブフレーム４２５の中で受信し得、ダウンリンク送信の受信からのｋ＋４サブフレームにおける、またはその後の、最初の利用可能なサブフレームの中でそれがＡＣＫ／ＮＡＣＫを送信していたレガシーＨＡＲＱ方式に従って、ダウンリンク送信に関する確認応答を送信し得る。図４の例では、ダウンリンクサブフレーム４２５からのサブフレームｋ＋４は、別のダウンリンクサブフレームであり、ＡＣＫ／ＮＡＣＫ４６０は、後続するアップリンクサブフレーム４６５の中でそのように送信される。したがって、この例では、ダウンリンクサブフレーム４２５と、そのサブフレームに関連したＡＣＫ／ＮＡＣＫ４６０を提供することとの間に、７ｍｓの遅延がある。ＡＣＫ／ＮＡＣＫ４６０に基づいて再送信が必要である場合、再送信は、次いで、後続のダウンリンクサブフレームに対してスケジューリングされ得、この例では、１１ｍｓとしての最小値であることになるＲＴＴをもたらす。ダウンリンク送信に後続する４番目のサブフレームの中で確認応答が提供され得る（たとえば、ＦＤＤモードにおいて、一貫してＡＣＫ／ＮＡＣＫがサブフレームｋ＋４の中で送信され得る）場合、最小ＲＴＴはそのとき８ｍｓであり得る。
【００６４】
[0084]バーストサブフレーム４４０内で、図４の例では、送信の確認応答を提供することに関するレイテンシは低減され得る。たとえば、第２の階層的レイヤを使用する送信は、レガシー送信を用いるようなものと類似のＨＡＲＱ技法に従ってよく、送信の確認応答は、送信の受信の後のｋ＋４シンボルであるシンボルの中で、またはその後の確認応答送信のための最初の利用可能なシンボルの中で、提供されてよい。たとえば、ＵＥは、ダウンリンク送信をシンボル４４５の中で受信し得、送信に後続する４番目のシンボルが特殊シンボル４５０であるので、ダウンリンクシンボル４４５の中でのダウンリンク送信の受信の後の５つ目のシンボルであるアップリンクシンボル４５５の中で、ＡＣＫ／ＮＡＣＫ４７０を提供し得る。したがって、ＵＥは、ダウンリンクシンボル４４５の中でのダウンリンク送信の受信の後、１ｍｓ未満であるバーストサブフレーム４４０内で、ダウンリンク送信のＡＣＫ／ＮＡＣＫ４７０を提供し得る。いくつかの例では、図３Ａに関して上記で説明した場合と同様に、バーストサブフレーム４４０の中のシンボルに対するシンボル持続時間は１１．３６μｓであり得、この例では、ダウンリンクシンボル４４５の送信の後の５６．８μｓに確認応答が提供されることをもたらす。ｅＮＢは、次いで、必要とされる再送信をスケジューリングし得、したがって、いくつかの例では、約１００μｓ以下として得られたＲＴＴをもたらし得る。場合によっては、いくつかのバーストサブフレーム４４０がフレーム内で採用されてよく、連続したサブフレームがバーストサブフレーム４４０であってよい。１つのバーストサブフレーム４４０の中で送られる送信は、確認応答送信、たとえば、後続のバーストサブフレーム４４０の中で送信されるＡＣＫ／ＮＡＣＫ４７０によって、そのように確認応答され得る。
【００６５】
[0085]ＵＥがダウンリンクシンボル４４５を受信することに関してＡＣＫ／ＮＡＣＫ４７０が説明されるが、類似の機能がアップリンク送信について実行され得る。たとえば、ＵＥは、アップリンクシンボル４８０をｅＮＢへ送信し得、アップリンクシンボル４８０は、ダウンリンクシンボル４８５の中で提供されるＡＣＫ／ＮＡＣＫ４７５を通じてｅＮＢによって確認応答され得る。再送信が必要である場合、そのような再送信は、後続のアップリンクシンボルの中でＵＥから提供され得、したがって、いくつかの例では、約１００μｓ以下として得られたＲＴＴを再びもたらし得る。したがって、バーストサブフレーム４４０の中の送信に関連したレイテンシは、著しく低減され得る。そのような低減されたレイテンシは、全体的な再送信回数を減少させ得る短縮されたＲＴＴを通じて、拡張されたデータレートを可能にし得る。そのような短縮されたＲＴＴは、ＴＣＰセグメント誤り率を達成するために要し得る時間にそのように影響を及ぼし得、ＵＥとｅＮＢとの間で達成可能である全体的なデータレートをそのように拡張させ得る。
【００６６】
[0086]図３Ａ、図３Ｂ、および図４を参照しながら説明した例は、第１の階層的レイヤのＴＤＤ送信を説明しているが、そのような技法はまた、他の送信モードに適用可能である。図５は、本開示の一態様による、ワイヤレス通信システムの異なるレイヤ上で送信され得る、無線フレームおよび様々なサブフレームの別の例を概念的に示すブロック図５００である。図５の無線フレームは、たとえば、図１を参照しながら説明したワイヤレス通信システム１００の、１つまたは複数のアクセスポイント１０５と１つまたは複数のＵＥ１１５との間の部分を使用して送信され得る。この例では、図３Ａに関して説明した場合と同様に、レガシーＦＤＤフレーム５１０は、１０個の１ｍｓダウンリンクサブフレーム５２５を含み得る。ダウンリンクサブフレーム５２５は、各１ｍｓサブフレーム内に１４個のシンボルを含む、図２および図３に関して上記で説明したようなサブフレーム構造を含み得る。
【００６７】
[0087]図５の例では、低レイテンシまたはバーストモードフレーム５２０は、いくつかのダウンリンクサブフレーム５２５をバーストサブフレーム５４０と置き換え得る。バーストサブフレーム５４０は、上記で説明した場合と同様に、ダウンリンクサブフレーム５２５と異なる階層的レイヤにおいて送信され得る。しかしながら、いくつかの例では、ＦＤＤダウンリンクサブフレーム５２５は、サブフレーム５２５の最初の２つのシンボルの中にスケジューリング情報を含み得る。第２の階層的レイヤにおいて動作することができないＵＥとの互換性を与えるために、バーストサブフレーム５４０は、例では、図３Ａ、図３Ｂ、および図４に関して上記で説明した場合と同様に、２つのレガシーＦＤＤ  ＯＦＤＭダウンリンクシンボル５４５および５５０と、それに続く、ダウンリンクシンボルと、特殊シンボルと、アップリンクシンボルとを含み得る７６個のＴＤＤバーストモードシンボル５５５とを含み得る。レガシーＦＤＤ  ＯＦＤＭシンボル５４５および５５０は、バーストモードシンボル５５５を受信することができないＵＥによって受信され得、ＵＥは、レガシーＦＤＤ  ＯＦＤＭシンボル５４５および５５０の中の情報に基づいて、レガシースケジューリング機能を実行し得る。いくつかの例では、バーストサブフレーム５４０は、マルチキャストまたはブロードキャストのコンテンツを提供し得るとともに、レガシーＵＥが受信するように構成され得ないＦＤＤサブフレーム５２５に相当するように選択され得、したがって、そのようなレガシーＵＥは、そのような場合、いずれにしてもそのようなサブフレームの残りを無視することになる。
【００６８】
[0088]したがって、図５の例では、第１の階層的レイヤがＦＤＤを使用して動作し得、一方、第２の階層的レイヤがＴＤＤを使用して動作し得る、ハイブリッド多重化が実施され得る。様々な例によれば、第１の階層的レイヤは、ＦＤＤ、ＴＤＤ、または補助ダウンリンク（ＳＤＬ）モードで動作し得、第２の階層的レイヤは、第１の階層的レイヤのモードと独立に、ＦＤＤ、ＴＤＤ、またはＳＤＬモードで動作し得る。上記で説明した場合と同様に、バーストモードシンボル５５５は、レガシーシンボル（たとえば、図２または図３のシンボル２６６、３６６）に比べて、短縮されたシンボル持続時間を有し得る。そのような短縮されたシンボル持続時間は、レガシーＨＡＲＱ方式による送信の確認応答に比べて、低減されたレイテンシを伴う送信の確認応答を可能にし得る。
【００６９】
[0089]図５を参照しながら説明した例は、第２の階層的レイヤにおけるＴＤＤ動作を説明しているが、ＦＤＤまたはＳＤＬなどの他のモードが、たとえば、図３Ｂを参照しながら説明したように第２の階層的レイヤにおいて使用され得る。図６は、本開示の一態様による、ワイヤレス通信システムの異なるレイヤ上で送信され得る、無線フレームおよび様々なサブフレームの別の例を概念的に示すブロック図６００である。図６の無線フレームは、たとえば、図１を参照しながら説明したワイヤレス通信システム１００の、１つまたは複数のアクセスポイント１０５と１つまたは複数のＵＥ１１５との間の部分を使用して送信され得る。この例では、図５に関して説明した場合と同様に、レガシーＦＤＤフレーム６１０は、１０個の１ｍｓダウンリンクサブフレーム６２５を含み得る。ダウンリンクサブフレーム６２５は、各１ｍｓサブフレーム内に１４個のシンボルを含む、図２〜図５に関して上記で説明したようなサブフレーム構造を含み得る。
【００７０】
[0090]図６の例では、低レイテンシまたはバーストモードフレーム６２０は、いくつかのダウンリンクサブフレーム６２５をバーストサブフレーム６４０と置き換え得る。バーストサブフレーム６４０は、上記で説明した場合と同様に、ダウンリンクサブフレーム６２５と異なる階層的レイヤにおいて送信され得る。いくつかの例では、図５に関して上記で説明した場合と同様に、ＦＤＤダウンリンクサブフレーム６２５は、サブフレーム６２５の最初の２つのシンボルの中にスケジューリング情報を含み得る。第２の階層的レイヤにおいて動作することができないＵＥとの互換性を与えるために、バーストサブフレーム６４０は、例では、２つのレガシーＦＤＤ  ＯＦＤＭシンボル６４５および６５０と、それに続く７６個のＳＤＬバーストモードダウンリンクシンボル６５５とを含み得る。レガシーＦＤＤ  ＯＦＤＭシンボル６４５および６５０は、バーストモードシンボル６５５を受信することができないＵＥによって受信され得、ＵＥは、レガシーＦＤＤ  ＯＦＤＭシンボル６４５および６５０の中の情報に基づいて、レガシースケジューリング機能を実行し得る。いくつかの例では、バーストサブフレーム６４０は、マルチキャストまたはブロードキャストのコンテンツを提供し得るとともに、レガシーＵＥが受信するように構成され得ないＦＤＤサブフレーム６２５に相当するように選択され得、したがって、そのようなレガシーＵＥは、そのような場合、いずれにしてもそのようなサブフレームの残りを無視することになる。上記で説明した場合と同様に、バーストモードシンボル６５５は、レガシーシンボル（たとえば、図２または図３のシンボル２６６、３６６）に比べて、短縮されたシンボル持続時間を有し得る。そのような短縮されたシンボル持続時間は、レガシーＨＡＲＱ方式による送信の確認応答に比べて、低減されたレイテンシを伴う送信の確認応答を可能にし得る。
【００７１】
[0091]上の例のいくつかは、１つのコンポーネントキャリアを使用する通信の異なる階層的レイヤを備えるが、本明細書で説明する技法は、キャリアアグリゲーションを利用し得るワイヤレス通信システムに適用可能である。図７は、本開示の態様による、キャリアアグリゲーションを利用し得るワイヤレス通信システムを概念的に示すブロック図である。この例では、ｅＮＢ１０５−ｃがキャリアアグリゲーションを使用してＵＥ１１５−ｃと通信し得る、ワイヤレス通信システム７００の一部分が示される。ワイヤレス通信システム７００は、図１を参照しながら説明したワイヤレス通信システム１００の部分の一例であり得る。その上、ｅＮＢ１０５−ｃは、図１のアクセスポイント１０５のうちの１つの一例であり得、ＵＥ１１５−ｃは、図１を参照しながら説明したＵＥ１１５の例であり得る。いくつかの例では、ｅＮＢ１０５−ｃおよびＵＥ１１５−ｃは、図１〜図６に関して上記で説明した場合と同様に、複数の階層的レイヤ上で動作するように構成され得る。
【００７２】
[0092]システム７００は、１つまたは複数のコンポーネントキャリア１〜Ｎ（ＣＣ1〜ＣＣN）を使用してｅＮＢ１０５−ｃと通信することができる、ユーザ機器１１５−ｃを含むことができる。図７には、１つのユーザ機器１１５−ｃおよび１つのｅＮＢ１０５−ｃのみが示されるが、システム７００が任意の数のＵＥ１１５および／またはｅＮＢ１０５を含むことができることが諒解されよう。ｅＮＢ１０５−ｃは、コンポーネントキャリアＣＣ1〜ＣＣN上の順方向（ダウンリンク）チャネル７３２〜７４２を介してユーザ機器１１５−ｃへ情報を送信することができる。加えて、ユーザ機器１１５−ｃは、コンポーネントキャリアＣＣ1〜ＣＣN上の逆方向（アップリンク）チャネル７３４〜７４４を介してｅＮＢ１０５−ｃへ情報を送信することができる。
【００７３】
[0093]レガシーＬＴＥ−Ａベースのシステムでは、ＵＥ１１５−ｃは、より広い全送信帯域幅を可能にするためにｅＮＢ１０５−ｃによって利用される、複数のコンポーネントキャリアを用いて構成され得る。図７に示すように、ユーザ機器１１５−ｃは、Ｎを１以上の整数として、「コンポーネントキャリア１」７３０〜「コンポーネントキャリアＮ」７４０で構成され得る。図７は２つのコンポーネントキャリアを示すが、ユーザ機器１１５−ｃが、任意の好適な数のコンポーネントキャリアを用いて構成されてよく、したがって、本明細書および特許請求の範囲で開示する主題は２つのコンポーネントキャリアに限定されないことを諒解されたい。コンポーネントキャリア７３０〜７４０は、それぞれのダウンリンクチャネル７３２〜７４２、ならびにそれぞれのアップリンクチャネル７３４〜７４４を含むことができる。
【００７４】
[0094]マルチキャリア動作では、各コンポーネントキャリア７３０〜７４０は、規定された帯域幅を使用して動作し得る。たとえば、各コンポーネントキャリア７３０〜７４０向けの帯域幅は、２０ＭＨｚであり得る。いくつかの例では、ＵＥ１１５−ｃおよびｅＮＢ１０５−ｃは、送信するための帯域幅がコンポーネントキャリアのアグリゲートされた帯域幅に従って変倍され（scaled）てよい、第２の階層的レイヤにおいて動作するように構成され得る。いくつかの例では、ＵＥ１１５−ａおよびｅＮＢ１０５−ｃは、上記で説明したものと同様の方式で、第１の階層的レイヤおよび第２の階層的レイヤにおいて、時分割多重化されたサブフレームを送信し得る。例では、第１の階層的レイヤにおいて送信される１つまたは複数のサブフレームは、２つ以上の別個のコンポーネントキャリア７３０〜７４０を使用して同時に送信され得る。第２の階層的レイヤの１つまたは複数のバーストサブフレームは、第１の階層的レイヤにおいて送信されるサブフレームと多重化され得、そのバーストサブフレームは、コンポーネントキャリア７３０〜７４０の帯域幅よりも大きい帯域幅を有する１つのキャリアを使用して送信される。たとえば、第１の階層的レイヤ送信のために、各々が２０ＭＨｚ帯域幅を有する２つのコンポーネントキャリアが使用される場合、バーストサブフレームは、４０ＭＨｚ帯域幅を使用して送信され得る。したがって、２つのコンポーネントキャリアによって占有される無線周波数スペクトルは、バーストサブフレームによって占有される無線周波数スペクトルと重複することになる。しかしながら、２つのコンポーネントキャリアは、バーストサブフレーム送信のために必要とされ得ない関連したガードバンドを有し得、したがって、帯域幅はより効率よく使用され得る。
【００７５】
[0095]図８Ａは、本開示の一態様による、ワイヤレス通信システムの異なるコンポーネントキャリア上および異なるレイヤ上で送信され得る、無線フレームおよび様々なサブフレームの一例を概念的に示すブロック図８００−ａであることを、ここで参照する。図８Ａの無線フレームは、たとえば、図１および／または図７を参照しながら説明したワイヤレス通信システム１００および／または７００の、１つまたは複数のアクセスポイントまたはｅＮＢ１０５と１つまたは複数のＵＥ１１５との間の部分を使用して送信され得る。この例では、４つのＴＤＤ無線フレーム８０５〜８２０は、キャリアアグリゲーションを使用して同時に送信され得る。ＴＤＤ無線フレーム８０５〜８２０の各々は、ダウンリンクサブフレーム８２５と、特殊サブフレーム８３０と、アップリンクサブフレーム８３５とを含む１０個の１ｍｓサブフレームを含み得る。例によれば、バーストサブフレーム８４０は、サブフレーム８２５、８３０、８３５と時分割多重化される。ダウンリンクサブフレーム８２５、特殊サブフレーム８３０、およびアップリンクサブフレーム８３５は、各１ｍｓサブフレーム内に１４個のシンボルを含む、図２に関して上記で説明したようなサブフレーム構造を含み得る。
【００７６】
[0096]図８Ａの例では、低レイテンシバーストサブフレーム８４０は、ダウンリンクサブフレーム８２５、特殊サブフレーム８３０、およびアップリンクサブフレーム８３５と異なる階層的レイヤにおいて送信され得る。バーストサブフレーム８４０は、例では、レガシーサブフレーム８２５、８３０、および８３５を送信するために使用されるコンポーネントキャリアの各々の、アグリゲートされた帯域幅を占有するように各々帯域幅が変倍された、８８個のシンボルを含み得る。図８Ａの例では、バーストサブフレーム８４０は、ＴＤＤバーストサブフレームであってよく、ダウンリンクシンボル８４５と、特殊シンボル８５０と、アップリンクシンボル８５５とを含んでよい。シンボル８４５、８５０、および８５５の各々は、レガシーシンボル（たとえば、図２、図３のシンボル２６６、３６６）に比べて短縮されたシンボル持続時間を有し得、いくつかの例では、８．３３μｓとしての有用なシンボル持続時間と８．０３μｓとしてのサイクリックプレフィックス持続時間とを含む、シンボル当たり１１．３６μｓとしてのシンボル持続時間を有し得る。シンボル８４５、８５０、および８５５は、レガシーシンボルに比べてサブキャリアに対して増大したトーン間隔を有し得、いくつかの例では、１２０ｋＨｚとしてのトーン間隔を有し得る。いくつかの例では、ハイブリッドＵＥ、第２のレイヤＵＥ、および／またはｅＮＢは、第１のシンボル持続時間を有するレガシーシンボル８６６を生成するように構成された内部クロックを利用する、サブフレーム８２５、８３０、および８３５のためのシンボルなどのレガシーシンボルを生成し得、第２のシンボル持続時間を有するシンボル８４５、８５０、８５５を生成するようにクロックを適合させることによって、バーストサブフレームのシンボル８４５、８５０、８５５を生成し得る。ハイブリッドＵＥ、第２のレイヤＵＥ、および／またはｅＮＢは、変倍された帯域幅を使用して送信するようにＲＦ送信／受信チェーンを適合させることを通して、バーストサブフレーム８４０の送信のために使用される帯域幅を変倍し得る。
【００７７】
[0097]いくつかの例では、ハイブリッドＵＥ（たとえば、図１のＵＥ１１５−ａ）は、キャリアアグリゲーションを通したレガシーサブフレーム８２５、８３０、８３５と、変倍された帯域幅を使用するバーストサブフレーム８４０との両方を使用して、通信するように構成され得る。同様に、第２のレイヤＵＥ（たとえば、図１のＵＥ１１５−ｂ）は、変倍された帯域幅を使用するバーストサブフレーム８４０だけを使用して通信するように構成され得、レガシーＵＥは、キャリアアグリゲーションを通したレガシーサブフレーム８２５、８３０、８３５だけを使用して通信するように構成され得る。ＵＥがただ１つの階層的レイヤにおいて通信し得る例では、他の階層的レイヤサブフレームは無視されてよい。
【００７８】
[0098]図８Ｂは、本開示の一態様による、ワイヤレス通信システムの異なるコンポーネントキャリア上および異なるレイヤ上で送信され得る、無線フレームおよび様々なサブフレームの一例を概念的に示すブロック図８００−ｂである。図８Ｂの無線フレームは、たとえば、図１および／または図７を参照しながら説明したワイヤレス通信システム１００および／または７００の、１つまたは複数のアクセスポイントまたはｅＮＢ１０５と１つまたは複数のＵＥ１１５との間の部分を使用して送信され得る。図８Ｂは、図８Ａを参照しながら上記で説明したＴＤＤ無線フレーム８０５、８１０、８１５、８２０、ダウンリンクサブフレーム８２５、特殊サブフレーム８３０、アップリンクサブフレーム８３５、バーストサブフレーム８４０、ダウンリンクシンボル８４５、特殊シンボル８５０、およびアップリンクシンボル８５５と類似であり得る、またはそれらと同じであり得る、ＴＤＤ無線フレーム８０５−ａ、８１０−ａ、８１５−ａ、８２０−ａと、ダウンリンクサブフレーム８２５−ａと、特殊サブフレーム８３０−ａと、アップリンクサブフレーム８３５−ａと、バーストサブフレーム８４０−ａと、ダウンリンクシンボル８４５−ａと、特殊シンボル８５０−ａと、アップリンクシンボル８５５−ａとを含み得る。図８Ｂの例に示すように、ハイブリッドおよび第２のレイヤＵＥ（たとえば、図１のＵＥ１１５−ｂ）は、コンポーネントキャリアのサブセットの集合の帯域幅をアグリゲートする変倍された帯域幅を使用して、バーストサブフレーム８４０−ａ上で通信するように構成され得る。
【００７９】
[0099]図８Ａを参照しながら説明した例は、第１の階層的レイヤのＴＤＤ送信を説明しているが、そのような技法はまた、他の送信モードに適用可能である。図９は、本開示の一態様による、ワイヤレス通信システムの異なるレイヤ上で送信され得る、無線フレームおよび様々なサブフレームの別の例を概念的に示すブロック図９００である。図９の無線フレームは、たとえば、図１および／または図７を参照しながら説明したワイヤレス通信システム１００および／または７００の、１つまたは複数のアクセスポイント１０５と１つまたは複数のＵＥ１１５との間の部分を使用して送信され得る。この例では、図８Ａに関して説明した場合と同様に、ＦＤＤ無線フレーム９０５〜９２０は、キャリアアグリゲーションを使用して同時に送信され得る。ＦＤＤ無線フレーム９０５〜９２０の各々は、ダウンリンクサブフレーム９２５を含む１０個の１ｍｓサブフレームを含み得る。例によれば、バーストサブフレーム９４０は、サブフレーム９２５と時分割多重化される。ダウンリンクサブフレーム９２５は、各１ｍｓサブフレーム内に１４個のシンボルを含む、図２に関して上記で説明したようなサブフレーム構造を含み得る。
【００８０】
[0100]図９の例では、いくつかのダウンリンクサブフレーム９２５は、バーストサブフレーム９４０と置き換えられ得る。バーストサブフレーム９４０は、上記で説明した場合と同様に、ダウンリンクサブフレーム９２５と異なる階層的レイヤにおいて送信され得る。しかしながら、いくつかの例では、ＦＤＤダウンリンクサブフレーム９２５は、サブフレーム９２５の最初の２つのシンボルの中にスケジューリング情報を含み得る。第２の階層的レイヤにおいて動作することができないＵＥとの互換性を与えるために、バーストサブフレーム９４０は、例では、レガシーキャリアアグリゲーション技法に従って送信される２つのレガシーＦＤＤ  ＯＦＤＭシンボル９４５および９５０と、それに続く変倍された帯域幅を有する７６個のＴＤＤバーストモードシンボルとを含み得る。
【００８１】
[0101]バーストＯＦＤＭシンボルは、図３Ａ〜図５に関して上記で説明した場合と同様に、ダウンリンクシンボルと、特殊シンボルと、アップリンクシンボルとを含み得る。レガシーＦＤＤ  ＯＦＤＭシンボル９４５および９５０は、バーストモードシンボル９５５を受信することができないＵＥによって受信され得、ＵＥは、レガシーＦＤＤ  ＯＦＤＭシンボル９４５および９５０の中の情報に基づいて、レガシースケジューリング機能を実行し得る。上記で説明した場合と同様に、バーストモードシンボル９５５は、レガシーシンボル（たとえば、図２または図３のシンボル２６６、３６６）に比べて、短縮されたシンボル持続時間を有し得る。そのような短縮されたシンボル持続時間は、レガシーＨＡＲＱ方式による送信の確認応答に比べて、低減されたレイテンシを伴う送信の確認応答を可能にし得、より高いデータレートを可能にし得る。図８Ａ、図８Ｂ、および図９の例はＴＤＤバーストサブフレーム８４０および９４０を説明しているが、ＦＤＤおよび／またはＳＤＬバーストサブフレームも、上記で説明した場合と同様に送信されてよい。
【００８２】
[0102]次に図１０を参照しながら、本開示の一態様による、ワイヤレス通信システムの異なるレイヤ上で送信され得る、無線フレームおよび様々なサブフレームの別の例を概念的に示すブロック図１０００が説明される。図１０の無線フレームは、たとえば、図１および／または図７を参照しながら説明したワイヤレス通信システム１００および／または７００の、１つまたは複数のアクセスポイント１０５と１つまたは複数のＵＥ１１５との間の部分を使用して送信され得る。この例では、図９に関して説明した場合と同様に、ＦＤＤ無線フレーム１００５〜１０２０は、キャリアアグリゲーションを使用して同時に送信され得る。ＦＤＤフレーム１００５〜１０２０の各々は、ダウンリンクサブフレーム１０２５を含む１０個の１ｍｓサブフレームを含み得る。例によれば、バーストサブフレーム１０４０は、サブフレーム１０２５と時分割多重化される。ダウンリンクサブフレーム１０２５は、各１ｍｓサブフレーム内に１４個のシンボルを含む、図２に関して上記で説明したようなサブフレーム構造を含み得る。
【００８３】
[0103]図１０の例では、いくつかのダウンリンクサブフレーム１０２５は、バーストサブフレーム１０４０と置き換えられ得る。バーストサブフレーム１０４０は、上記で説明した場合と同様に、ダウンリンクサブフレーム１０２５と異なる階層的レイヤにおいて送信され得る。しかしながら、いくつかの例では、ＦＤＤダウンリンクサブフレーム１０２５は、サブフレーム１０２５の最初の２つのシンボルの中にスケジューリング情報を含み得る。第２の階層的レイヤにおいて動作することができないＵＥとの互換性を与えるために、バーストサブフレーム１０４０は、例では、レガシーキャリアアグリゲーション技法に従って送信される２つのレガシーＦＤＤ  ＯＦＤＭシンボル１０４５および１０５０と、それに続く１２個のＦＤＤ変倍された（FDD scaled）帯域幅のＯＦＤＭシンボル１０５５とを含み得る。
【００８４】
[0104]そのような例では、１２個のＦＤＤ変倍された帯域幅シンボルの各々は、レガシー信号と同じシンボル持続時間を有し得るが、４個の別個のキャリアにではなく、増大された帯域幅を１つのキャリアに与えるように変倍された帯域幅を使用して送信されてよい。上記で説明した場合と同様に、変倍された帯域幅のシンボルは、たとえば、４個の別個のキャリアと関連したガードバンドをなくすことの結果として、高められた効率を有し得る。レガシーＦＤＤシンボル１０４５および１０５０は、バーストモードシンボル１０５５を受信することができないＵＥによって受信され得、ＵＥは、レガシーＦＤＤシンボル１０４５および１０５０の中の情報に基づいて、レガシースケジューリング機能を実行し得る。図１０の例はＦＤＤバーストサブフレーム１０４０を示すが、ＴＤＤおよび／またはＳＤＬバーストサブフレームも同様の方式で送信されてよい。
【００８５】
[0105]図１１Ａおよび図１１Ｂは、本開示の態様による、ワイヤレス通信において使用するための、ｅＮＢまたはＵＥなどのデバイスを概念的に示すブロック図である。最初に図１１Ａを参照すると、ブロック図１１００は、様々な例による、ワイヤレス通信において使用するためのデバイス１１０５を示す。いくつかの例では、デバイス１１０５は、図１および／または図７を参照しながら説明したアクセスポイントまたはｅＮＢ１０５および／またはＵＥ１１５の１つまたは複数の態様の一例であり得る。デバイス１１０５はまた、プロセッサであり得る。デバイス１１０５は、受信機モジュール１１１０、レイヤ構成モジュール、および／または送信機モジュール１１３０を含み得る。これらの構成要素の各々は、互いに通信していることがある。
【００８６】
[0106]デバイス１１０５の構成要素は、適用可能な機能の一部または全部をハードウェアで実施するように適合された１つまたは複数の特定用途向け集積回路（ＡＳＩＣ）を用いて、個々にまたはまとめて実装され得る。代替的に、機能は、１つまたは複数の他の処理ユニット（または、コア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマッティングされた、メモリに組み込まれた命令を用いて実装され得る。
【００８７】
[0107]いくつかの例では、受信機モジュール１１１０は、２つ以上の階層的レイヤ上での送信を（たとえば、レガシーＬＴＥサブフレームおよびバーストサブフレームを通して）受信するように動作可能な無線周波数（ＲＦ）受信機のような、ＲＦ受信機であり得、またはそれを含み得る。受信機モジュール１１１０は、図１を参照しながら説明したワイヤレス通信システム１００の１つまたは複数の通信リンク１２５のような、ワイヤレス通信システムの１つまたは複数の通信リンクを介して、様々なタイプのデータおよび／または制御信号（すなわち、送信）を受信するために使用され得る。
【００８８】
[0108]いくつかの例では、送信機モジュール１１３０は、２つ以上の階層的レイヤ上で（たとえば、レガシーＬＴＥサブフレームおよびバーストサブフレームを通して）送信するように動作可能なＲＦ送信機のような、ＲＦ送信機であり得、またはそれを含み得る。送信機モジュール１１３０は、図１を参照しながら説明したワイヤレス通信システム１００の１つまたは複数の通信リンク１２５のような、ワイヤレス通信システムの１つまたは複数の通信リンクを介して、様々なタイプのデータおよび／または制御信号（すなわち、送信）を送信するために使用され得る。
【００８９】
[0109]いくつかの例では、レイヤ構成モジュール１１２０は、２つ以上の階層的レイヤを有するワイヤレス通信システムにおけるデバイス１１０５の動作のためのレイヤ構成を、構成および／または実行し得る。レイヤ構成モジュール１１２０は、第１のＲＴＴを有する第１のサブフレームタイプを用いた第１の階層的レイヤ送信を有するワイヤレス通信システム内で動作するように、たとえば、デバイス１１０５を構成し得る。レイヤ構成モジュール１１２０はまた、第１の階層的レイヤと多重化された第２の階層的レイヤにおける動作を実行し得、第２の階層的レイヤは、第１のＲＴＴよりも小さい第２のＲＴＴを有する第２のサブフレームタイプを用いた第２のレイヤ送信を有する。構成および動作は、たとえば、図１〜１０に関して上記で説明したような、レガシーフレームおよび／またはバーストフレームの送信および／または受信を含み得る。
【００９０】
[0110]次に図１１Ｂを参照すると、ブロック図１１５０は、本開示の様々な態様による、ワイヤレス通信において使用するためのデバイス１１５５を示す。いくつかの例では、デバイス１１５５は、図１、図７、および／または図１１Ａを参照しながら説明したアクセスポイントまたはｅＮＢ１０５、ＵＥ１１５、および／またはデバイス１１０５の１つまたは複数の態様の一例であり得る。デバイス１１５５はまた、プロセッサであり得る。デバイス１１５５は、受信機モジュール１１１０、レイヤ構成モジュール１１６０、および／または送信機モジュール１１３０を含み得る。これらの構成要素の各々は、互いに通信していることがある。
【００９１】
[0111]デバイス１１５５の構成要素は、適用可能な機能の一部または全部をハードウェアで実施するように適合された１つまたは複数のＡＳＩＣを用いて、個々にまたはまとめて実装され得る。代替的に、機能は、１つまたは複数の他の処理ユニット（または、コア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマッティングされた、メモリに組み込まれた命令を用いて実装され得る。
【００９２】
[0112]いくつかの例では、受信機モジュール１１１０−ａは、図１１Ａの受信機モジュール１１１０の一例であり得る。受信機モジュール１１１０−ａは、２つ以上の階層的レイヤ上での送信を（たとえば、レガシーＬＴＥサブフレームおよびバーストサブフレームを通して）受信するように動作可能な無線周波数（ＲＦ）受信機のような、ＲＦ受信機であり得、またはそれを含み得る。ＲＦ受信機は、いくつかの例では、第１および第２の階層的レイヤのための別個の受信機を含み得る。他の例では、ＲＦ受信機は、単一の受信機、または送信チェーン／受信チェーン当たり単一の受信機を含み得、レイヤ構成モジュール１１６０のクロックモジュール１１８０は、異なるシンボル持続時間を有する受信シンボルを処理するように適合され得る。受信機モジュール１１１０−ａは、図１を参照しながら説明したワイヤレス通信システム１００の１つまたは複数の通信リンク１２５のような、２つ以上を超える階層的レイヤを含むワイヤレス通信システムの１つまたは複数の通信リンクを介して、様々なタイプのデータおよび／または制御信号（すなわち、送信）を受信するために使用され得る。
【００９３】
[0113]いくつかの例では、送信機モジュール１１３０−ａは、図１１Ａの送信機モジュール１１３０の一例であり得る。送信機モジュール１１３０−ａは、２つ以上の階層的レイヤ上で（たとえば、レガシーＬＴＥサブフレームおよびバーストサブフレームを通して）送信するように動作可能なＲＦ送信機のような、無線周波数（ＲＦ）送信機であり得、またはそれを含み得る。そのようなＲＦ送信機は、いくつかの例では、第１および第２の階層的レイヤのための別個の送信機を含み得る。他の例では、ＲＦ送信機は、単一の送信機、または送信チェーン／受信チェーン当たり単一の送信機を含み得、レイヤ構成モジュール１１６０のクロックモジュール１１８０は、異なるシンボル持続時間を有するシンボルを生成するように適合され得る。送信機モジュール１１３０−ａは、図１を参照しながら説明したワイヤレス通信システム１００の１つまたは複数の通信リンク１２５のような、２つ以上を超える階層的レイヤを含むワイヤレス通信システムの１つまたは複数の通信リンクを介して、様々なタイプのデータおよび／または制御信号（すなわち、送信）を受信するために使用され得る。
【００９４】
[0114]レイヤ構成モジュール１１６０は、図１１Ａを参照しながら説明したレイヤ構成モジュール１１２０の一例であり得、第１のレイヤ構成モジュール１１７０と、バーストモードモジュール１１７５と、クロックモジュール１１８０と、随意のスケーラブル帯域幅モジュール１１８５とを含み得る。これらの構成要素の各々は、互いに通信していることがある。
【００９５】
[0115]いくつかの例では、第１のレイヤ構成モジュール１１７０は、デバイス１１５５が第１の階層的レイヤにおいて動作するための構成を実行し得、たとえば、図１〜図１０に関して上記で説明したような、第１の階層的レイヤにおけるデバイス動作のための少なくともいくつかの機能を実施し得る。バーストモードモジュール１１７５は、デバイス１１５５が第２の階層的レイヤにおいて動作するように構成し得、たとえば、図１〜図１０に関して上記で説明したような、第２の階層的レイヤにおけるデバイス動作のための少なくともいくつかの機能を実施し得る。クロックモジュール１１８０は、たとえば、図１〜図１０に関して上記で説明したような、異なるシンボル持続時間を有するシンボルの生成および受信シンボルの処理を可能にするように、クロックが適合されることを可能にするためのクロック適合を実行し得る。随意のスケーラブル帯域幅モジュール１１８５は、たとえば、図１および図７〜図１０に関して上記で説明したような、レガシーサブフレームのために複数のコンポーネントキャリアを送信／受信し、バーストサブフレームのために単一のコンポーネントキャリア上で変倍された帯域幅を利用するために、キャリアアグリゲーションを利用し得る例での帯域幅スケーリングを実行し得る。
【００９６】
[0116]図１２は、本開示の態様による、ワイヤレス通信システム内での階層的通信のために構成されたｅＮＢの設計を概念的に示すブロック図である。例では、ｅＮＢ１０５−ｄは、図１、図７および／または図１１を参照しながら説明したアクセスポイント、ｅＮＢ、またはデバイス１０５、１１０５、および／または１１５５の１つまたは複数の態様の一例であり得る。ｅＮＢ１０５−ｄは、図１〜図１０に関して説明した階層的通信の特徴および機能のうちの少なくともいくつかを実装するように構成され得る。ｅＮＢ１０５−ｄは、プロセッサモジュール１２１０、メモリモジュール１２２０、（トランシーバモジュール１２５５によって表される）少なくとも１つのトランシーバモジュール、（アンテナ１２６０によって表される）少なくとも１つのアンテナ、および／またはｅＮＢレイヤ構成モジュール１２７０を含み得る。ｅＮＢ１０５−ｄはまた、ｅＮＢ通信モジュール１２３０とネットワーク通信モジュール１２４０の一方または両方を含み得る。これらの構成要素の各々は、１つまたは複数のバス１２３５を介して、直接または間接的に互いに通信していることがある。
【００９７】
[0117]メモリモジュール１２２０は、ランダムアクセスメモリ（ＲＡＭ）および／または読取り専用メモリ（ＲＯＭ）を含み得る。メモリモジュール１２２０は、実行されたとき、上記で説明したような、比較的低いレイテンシを有するバーストサブフレームの送信および／または受信を含む、２つ以上のレイヤにおける階層的通信のための本明細書で説明する様々な機能を、プロセッサモジュール１２１０に実行させるように構成された命令を含むコンピュータ可読、コンピュータ実行可能ソフトウェア（ＳＷ）コード１２２５を記憶し得る。代替として、ソフトウェアコード１２２５は、プロセッサモジュール１２１０によって直接実行可能ではないが、たとえば、コンパイルされ実行されたとき、本明細書で説明する機能のいくつかをｅＮＢ１０５−ｄに実行させるように構成される場合がある。
【００９８】
[0118]プロセッサモジュール１２１０は、インテリジェントハードウェアデバイス、たとえば、中央処理装置（ＣＰＵ）、マイクロコントローラ、ＡＳＩＣなどを含み得る。プロセッサモジュール１２１０は、トランシーバモジュール１２５５、基地局通信モジュール１２３０、および／またはネットワーク通信モジュール１２４０を通じて受信された情報を処理し得る。プロセッサモジュール１２１０はまた、アンテナ１２６０を通じた送信のためにトランシーバモジュール１２５５に、１つもしくは複数の他の基地局すなわちｅＮＢ１０５−ｎおよび１０５−ｍへの送信のためにｅＮＢ通信モジュール１２３０に、ならびに／または図１を参照しながら説明したコアネットワーク１３０の態様の一例であり得るコアネットワーク１３０−ａへの送信のためにネットワーク通信モジュール１２４０に、送られるべき情報を処理し得る。プロセッサモジュール１２１０は、図１〜１０に関して上記で説明したような、２つ以上の階層的レイヤにおける階層的通信の様々な態様を、単独で、またはｅＮＢレイヤ構成モジュール１２７０とともに処理し得る。
【００９９】
[0119]トランシーバモジュール１２５５は、パケットを変調し、変調されたパケットを送信のためにアンテナ１２６０に供給し、アンテナ１２６０から受信されたパケットを復調するように構成されたモデムを含み得る。トランシーバモジュール１２５５は、１つまたは複数の送信機モジュールおよび１つまたは複数の別個の受信機モジュールとして実装され得る。トランシーバモジュール１２５５は、２つ以上の階層的レイヤにおける通信を（たとえば、レガシーＬＴＥサブフレームおよびバーストサブフレームを通して）サポートし得る。トランシーバモジュール１２５５は、たとえば、図１、図７、および／または図１１を参照しながら説明したＵＥまたはデバイス１１５、１１０５および／または１１５５のうちの１つまたは複数と、アンテナ１２６０を介して双方向に通信するように構成され得る。ｅＮＢ１０５−ｄは、複数のアンテナ１２６０（たとえば、アンテナアレイ）を含み得る。ｅＮＢ１０５−ｄは、ネットワーク通信モジュール１２４０を通してコアネットワーク１３０−ａと通信し得る。ｅＮＢ１０５−ｄは、ｅＮＢ通信モジュール１２３０を使用して、ｅＮＢ１０５−ｎおよび／または１０５−ｍなどの他のアクセスポイントまたはｅＮＢと通信し得る。
【０１００】
[0120]図１２のアーキテクチャによれば、ｅＮＢ１０５−ｄは、通信管理モジュール１２５０をさらに含み得る。通信管理モジュール１２５０は、他の基地局、ｅＮＢ、および／またはデバイスとの通信を管理し得る。通信管理モジュール１２５０は、１つまたは複数のバス１２３５を介してｅＮＢ１０５−ｄの他の構成要素の一部または全部と通信していることがある。代替として、通信管理モジュール１２５０の機能は、トランシーバモジュール１２５５の構成要素として、コンピュータプログラム製品として、および／またはプロセッサモジュール１２１０の１つまたは複数のコントローラ要素として実装され得る。
【０１０１】
[0121]ｅＮＢレイヤ構成モジュール１２７０は、図１〜図１０を参照しながら説明したｅＮＢ階層的通信の機能または態様の一部または全部を  実行および／または制御するように構成され得る。たとえば、ｅＮＢレイヤ構成モジュール１２７０は、バーストサブフレームの送信／受信を通してなどの、複数の階層的レイヤを有するワイヤレス通信システムの１つまたは複数の階層的レイヤでの通信をサポートするように構成され得る。ｅＮＢレイヤ構成モジュール１２７０は、複数の階層的レイヤを有するワイヤレス通信システムにおける通信のためにｅＮＢ１０５−ｄを構成するためのｅＮＢ第１のレイヤ構成モジュール１２８０と、バーストサブフレームの送信および受信に関する機能を実行するように構成されたｅＮＢバーストモードモジュール１２８５と、シンボル持続時間に基づいてクロック適合を提供するように構成されたｅＮＢクロックモジュール１２９０と、複数のサブキャリアにわたる帯域幅スケーリングを実行するように構成された随意のｅＮＢスケーラブル帯域幅モジュール１２９５とを含み得る。ｅＮＢレイヤ構成モジュール１２７０は、図１１Ａおよび／または図１１Ｂを参照しながら説明した類似のモジュール（たとえば、モジュール１１２０および１１６０）の一例であり得る。ｅＮＢレイヤ構成モジュール１２７０、またはそれの部分は、プロセッサを含んでよく、および／または、ｅＮＢレイヤ構成モジュール１２７０の機能の一部または全部は、プロセッサモジュール１２１０によって、および／またはプロセッサモジュール１２１０とともに実行されてよい。
【０１０２】
[0122]図１３は、本開示の態様による、ワイヤレス通信システムにおける階層的通信のために構成されたＵＥの設計を概念的に示すブロック図１３００である。ＵＥ１１５−ｄは、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなどに含まれるか、またはそれらの一部であり得る。ＵＥ１１５−ｄは、モバイル動作を容易にするために、小型バッテリなどの内部電源（図示せず）を有し得る。いくつかの例では、ＵＥ１１５−ｄは、図１、図７、図１１Ａおよび／または図１１Ｂを参照しながら説明したＵＥまたはデバイス１１５、１１０５および／または１１５５のうちの１つまたは複数の一例であり得る。ＵＥ１１５−ｄは、図１、図７、図１１Ａ、図１１Ｂ、および／または図１２を参照しながら説明したアクセスポイント、ｅＮＢまたはデバイス１０５、１１０５および／または１１５５のうちの１つまたは複数と通信するように構成され得る。
【０１０３】
[0123]ＵＥ１１５−ｄは、プロセッサモジュール１３１０、メモリモジュール１３２０、（トランシーバモジュール１３７０によって表される）少なくとも１つのトランシーバモジュール、（アンテナ１３８０によって表される）少なくとも１つのアンテナ、および／またはＵＥレイヤ構成モジュール１３４０を含み得る。これらの構成要素の各々は、１つまたは複数のバス１３３５を介して、直接または間接的に互いに通信していることがある。
【０１０４】
[0124]メモリモジュール１３２０は、ＲＡＭおよび／またはＲＯＭを含み得る。メモリモジュール１３２０は、実行されたときに、ワイヤレス通信システムにおける階層的通信のための、本明細書で説明する様々な機能をプロセッサモジュール１３１０に実行させるように構成された命令を含むコンピュータ可読、コンピュータ実行可能ソフトウェア（ＳＷ）コード１３２５を記憶し得る。代替的に、ソフトウェアコード１３２５は、プロセッサモジュール１３１０によって直接実行可能ではないが、（たとえば、コンパイルされ実行されたとき）本明細書で説明するＵＥ機能のいくつかをＵＥ１１５−ｄに実行させるように構成される場合がある。
【０１０５】
[0125]プロセッサモジュール１３１０は、インテリジェントハードウェアデバイス、たとえば、ＣＰＵ、マイクロコントローラ、ＡＳＩＣなどを含み得る。プロセッサモジュール１３１０は、トランシーバモジュール１３７０を通じて受信された情報、および／またはアンテナ１３８０を通じた送信のためにトランシーバモジュール１３７０に送られるべき情報を処理し得る。プロセッサモジュール１３１０は、たとえば、バーストサブフレームの送信および受信を含む、ワイヤレス通信システムの１つまたは複数の階層的レイヤ上での階層的通信の様々な態様を、単独で、またはＵＥレイヤ構成モジュール１３４０とともに処理し得る。
【０１０６】
[0126]トランシーバモジュール１３７０は、ｅＮＢと双方向に通信するように構成され得る。トランシーバモジュール１３７０は、１つまたは複数の送信機モジュールおよび１つまたは複数の別個の受信機モジュールとして実装され得る。トランシーバモジュール１３７０は、複数の階層的レイヤのワイヤレス通信システムの、少なくとも１つのレイヤ上での通信をサポートし得る。トランシーバモジュール１３７０は、パケットを変調し、変調されたパケットを送信のためにアンテナ１３８０に供給し、アンテナ１３８０から受信されたパケットを復調するように構成されたモデムを含み得る。ＵＥ１１５−ｄは単一のアンテナを含み得るが、ＵＥ１１５−ｄが複数のアンテナ１３８０を含み得る例があり得る。
【０１０７】
[0127]図１３のアーキテクチャによれば、ＵＥ１１５−ｄは、通信管理モジュール１３３０をさらに含み得る。通信管理モジュール１３３０は、様々な基地局またはｅＮＢとの通信を管理し得る。通信管理モジュール１３３０は、１つまたは複数のバス１３３５を介してＵＥ１１５−ｄの他の構成要素の一部または全部と通信している、ＵＥ１１５−ｄの構成要素であり得る。代替として、通信管理モジュール１３３０の機能は、トランシーバモジュール１３７０の構成要素として、コンピュータプログラム製品として、および／またはプロセッサモジュール１３１０の１つまたは複数のコントローラ要素として実装され得る。
【０１０８】
[0128]ＵＥレイヤ構成モジュール１３４０は、複数の階層的レイヤを有するワイヤレス通信システムでの１つまたは複数の階層的レイヤにおける通信を使用することに関して図１〜図１０で説明された、ＵＥ階層的通信の機能または態様の一部または全部を実行および／または制御するように構成され得る。たとえば、ＵＥレイヤ構成モジュール１３４０は、受信シンボルを処理し、および／または１つまたは複数のバーストサブフレームの中に含まれ得るシンボルを生成するように構成され得る。ＵＥレイヤ構成モジュール１３４０は、複数の階層的レイヤを伴うワイヤレス通信システムにおいて動作するようにＵＥ１１５−ｄを構成するためのＵＥ第１のレイヤ構成モジュール１３５０と、１つまたは複数のバーストサブフレームから受信されたシンボルの処理、および／またはバーストモードシンボルの生成を取り扱うように構成されたＵＥバーストモードモジュール１３５５と、シンボル持続時間に基づいてクロック適合を提供するように構成されたＵＥクロックモジュール１３６０と、複数のサブキャリアにわたる帯域幅スケーリングを実行するように構成された随意のＵＥスケーラブル帯域幅モジュール１３６５とを含み得る。ＵＥレイヤ構成モジュール１３４０、またはそれの部分は、プロセッサを含んでよく、および／または、ＵＥレイヤ構成モジュール１３４０の機能の一部または全部は、プロセッサモジュール１３１０によって、および／またはプロセッサモジュール１３１０とともに実行されてよい。
【０１０９】
[0129]図１４は、本開示の態様による、トランシーバモジュール１４０５の設計を概念的に示すブロック図１４００である。トランシーバモジュール１４０５は、様々な他の構成を有してよく、図１、図７、図１１Ａ、図１１Ｂ、および／または図１３のＵＥまたはデバイス１１５、１１０５、および／または１１５５などのＵＥまたはデバイスが含まれるか、またはそれらの一部であり得る。トランシーバモジュール１４０５はまた、図１、図７、および／または図１２のアクセスポイントまたはｅＮＢ１０５などのアクセスポイントまたはｅＮＢが含まれるか、またはそれらの一部であり得る。トランシーバモジュール１４０５は、図１２および／または図１３のトランシーバモジュール１２５５および／または１３７０の一例であり得る。トランシーバモジュール１４０５は、受信チェーン０  １４１０−０〜受信チェーンｎ１４１０−ｎを含む複数の受信チェーン１４１０と、送信チェーン０  １４１０−０〜送信チェーンｎ１４１０−ｎを含む複数の送信チェーン１４１５とを含み得る。受信チェーン１４１０−０〜１４１０−ｎおよび送信チェーン１４１５−０〜１４１５−ｎの各々は、それぞれ、関連付けられたアンテナ１４１２、すなわち、アンテナ０  １４１２−０〜アンテナｎ１４１２−ｎと結合され得る。受信チェーン１４１０−０〜１４１０−ｎは、それぞれ、ＲＦモジュール１４２０−０〜１４２０−ｎと、アナログデジタル変換器（ＡＤＣ）モジュール１４２５−ａ〜１４２５−ｎと、高速フーリエ変換（ＦＦＴ）モジュール１４３０−０〜１４３０−ｎとを含み得、復調器１４３５と結合され得る。送信チェーン１４１５−０〜１４１５−ｎは、それぞれ、ＲＦモジュール１４５０−０〜１４５０−ｎと、デジタルアナログ変換器（ＤＡＣ）モジュール１４５５−０〜１４５５−ｎと、逆ＦＦＴ（ＩＦＦＴ）モジュール１４６０−０〜１４６０−ｎとを含み得、変調器１４４０と結合され得る。
【０１１０】
[0130]いくつかの例によれば、トランシーバモジュール１４０５は、ワイヤレス通信システムでの異なる階層的レイヤにおいて動作するように構成され得、送信チェーンおよび受信チェーンの構成要素は、シンボルがバーストサブフレームの一部として送信されるのか、それともレガシーサブフレームの一部として送信されるのかに基づいて、異なるシンボル持続時間を有するシンボルを送信および受信するように構成および適合され得る。いくつかの例では、クロックモジュール１４７０は、異なるシンボル持続時間を有するシンボルを生成するために、または異なるシンボル持続時間を有するシンボルを受信および処理するために、構成要素を異なる速度でクロッキングする（clock）ように適合され得る。
【０１１１】
[0131]スケーラブルな帯域幅を用いて階層的レイヤを利用し得る例では、送信チェーンおよび受信チェーンは、キャリアが複数のコンポーネントキャリアのうちの１つであるのか、それともレガシーコンポーネントキャリアの帯域幅よりも大きい帯域幅を有する単一のキャリアであるのかに基づいて、異なる帯域幅を有するキャリアを送信／受信するように適合され得る。いくつかの例では、複数の送信チェーンおよび／または受信チェーンは、レガシーサブフレームのキャリアアグリゲーション送信の中でコンポーネントキャリアを送信するために使用され得る。１つまたは複数のバーストサブフレームが送信／受信されるべきである場合、変倍された帯域幅を有する信号コンポーネントキャリアを送信／受信するために、送信チェーンおよび／または受信チェーンのうちの１つまたは複数が無効化され、残りの送信チェーンおよび／または受信チェーンのうちの１つが有効化され得る。いくつかの例では、ＦＦＴモジュール１４３０およびＩＦＦＴモジュール１４６０は、特定のシンボルの階層的レイヤに基づいて、異なるＦＦＴポイントを有してよい。いくつかの例では、レガシー２０ＭＨｚシンボルは２０４８ポイントＦＦＴを有してよく、バースト２０ＭＨｚシンボルは２５６ポイントＦＦＴを有してよい。バーストモードシンボルが変倍された帯域幅を有することがある例では、ＦＦＴサイズは、それに応じて、たとえば、１６０ＭＨｚキャリア帯域幅に対する２０４８ポイントＦＦＴまで増大されることがある。
【０１１２】
[0132]次に図１５を参照すると、ｅＮＢ１０５−ｅとＵＥ１１５−ｅとを含む、多入力多出力（ＭＩＭＯ）通信システム１５００のブロック図が示される。ｅＮＢ１０５−ｅおよびＵＥ１１５−ｅは、複数の階層的レイヤを有するワイヤレス通信システムにおける通信をサポートし得る。ｅＮＢ１０５−ｅは、図１、図７、図１１Ａ、図１１Ｂ、および／または図１２を参照しながら説明したアクセスポイント、ｅＮＢまたはデバイス１０５、１１０５、および／または１１５５の１つまたは複数の態様の一例であり得、ＵＥ１１５−ｅは、図１、図７、図１１Ａ、図１１Ｂ、および／または図１３を参照しながら説明したＵＥまたはデバイス１１５、１１０５、および／または１１５５の１つまたは複数の態様の一例であり得る。システム１５００は、図１および／または図７を参照しながら説明したワイヤレス通信システム１００および／または７００の態様を示し得、図１〜図１４を参照しながら上記で説明したような異なる時間期間の間のノードの異なるサブセットにわたる、複数の階層的レイヤ上での階層的送信をサポートし得る。
【０１１３】
[0133]ｅＮＢ１０５−ｅは、アンテナ１５３４−０〜１５３４−ｘが装備され得、ＵＥ１１５−ｅは、アンテナ１５５２−０〜１５５２−ｎが装備され得る。システム１５００では、ｅＮＢ１０５−ｅは、複数の通信リンクを介して同時にデータを送ることが可能であり得る。各通信リンクは、「レイヤ」と呼ばれることがあり、通信リンクの「ランク」は、通信のために使用されるレイヤの数を示すことがある。たとえば、ｅＮＢ１０５−ｅが２つの「レイヤ」を送信する２×２ＭＩＭＯシステムでは、ｅＮＢ１０５−ｅとＵＥ１１５−ｅとの間の通信リンクのランクは２であり得る。
【０１１４】
[0134]ｅＮＢ１０５−ｅにおいて、送信（Ｔｘ）プロセッサ１５２０が、データソースからデータを受信し得る。送信プロセッサ１５２０は、データを処理し得る。送信プロセッサ１５２０はまた、基準シンボルおよび／またはセル固有基準信号を生成し得る。送信（Ｔｘ）ＭＩＭＯプロセッサ１５３０は、適用可能な場合、データシンボル、制御シンボル、および／または基準シンボルに対して空間処理（たとえば、プリコーディング）を実行し得、出力シンボルストリームを送信（Ｔｘ）変調器１５３２−０〜１５３２−ｘに供給し得る。各変調器１５３２は、出力サンプルストリームを取得するために、（たとえば、ＯＦＤＭなどのための）それぞれの出力シンボルストリームを処理し得る。各変調器１５３２は、ダウンリンク（ＤＬ）信号を取得するために、出力サンプルストリームをさらに処理（たとえば、アナログへの変換、増幅、フィルタリング、およびアップコンバート）し得る。一例では、変調器１５３２−０〜１５３２−ｘからのＤＬ信号は、それぞれ、アンテナ１５３４−０〜１５３４−ｘを介して送信され得る。
【０１１５】
[0135]ＵＥ１１５−ｅにおいて、アンテナ１５５２−０〜１５５２−ｎは、ｅＮＢ１０５−ｅからＤＬ信号を受信し得、受信信号を、それぞれ、受信（Ｒｘ）復調器１５５４−０〜１５５４−ｎに供給し得る。各復調器１５５４は、入力サンプルを取得するために、それぞれの受信信号を調整（たとえば、フィルタリング、増幅、ダウンコンバート、およびデジタル化）し得る。各復調器１５５４は、受信シンボルを取得するために、（たとえば、ＯＦＤＭなどのための）入力サンプルをさらに処理し得る。ＭＩＭＯ検出器１５５６は、すべての復調器１５５４−０〜１５５４−ｎから受信シンボルを取得し得、適用可能な場合、受信シンボルに対してＭＩＭＯ検出を実行し得、検出されたシンボルを供給し得る。受信（Ｒｘ）プロセッサ１５５８は、検出されたシンボルを処理（たとえば、復調、デインターリーブ、および復号）し得、ＵＥ１１５−ｅのための復号されたデータをデータ出力に供給し、復号された制御情報をプロセッサ１５８０またはメモリ１５８２に供給し得る。プロセッサ１５８０は、ワイヤレス通信システムにおける複数の階層的レイヤ上での階層的送信に関係する様々な機能を実行し得るモジュールまたは機能１５８１を含み得る。たとえば、モジュールまたは機能１５８１は、図１１Ａまたは図１１Ｂを参照しながら説明したレイヤ構成モジュール１１２０もしくは１１６０、および／または図１２を参照しながら説明したｅＮＢレイヤ構成１２７０の機能の一部または全部を実行し得る。
【０１１６】
[0136]アップリンク（ＵＬ）上では、ＵＥ１１５−ｅにおいて、送信（Ｔｘ）プロセッサ１５６４は、データソースからデータを受信し、それを処理し得る。送信プロセッサ１５６４はまた、基準信号のための基準シンボルを生成し得る。送信プロセッサ１５６４からのシンボルは、適用可能な場合、送信（Ｔｘ）ＭＩＭＯプロセッサ１５６６によってプリコードされ得、送信（Ｔｘ）変調器１５５４−０〜１５５４−ｎによって（たとえば、ＳＣ−ＦＤＭＡなどのために）さらに処理され得、ｅＮＢ１０５−ｅから受信された送信パラメータに従ってｅＮＢ１０５−ｅへ送信され得る。ｅＮＢ１０５−ｅにおいて、ＵＥ１１５−ｅからのＵＬ信号は、アンテナ１５３４によって受信され得、受信機（Ｒｘ）復調器１５３２によって処理され得、適用可能な場合、ＭＩＭＯ検出器１５３６によって検出され得、受信（Ｒｘ）プロセッサ１５３８によってさらに処理され得る。受信プロセッサ１５３８は、復号されたデータを、データ出力およびプロセッサ１５４０に供給し得る。プロセッサ１５４０は、ワイヤレス通信システムにおける複数の階層的レイヤ上での階層的送信に関係する様々な態様を実行し得るモジュールまたは機能１５４１を含み得る。たとえば、モジュールまたは機能１５４１は、図１１Ａまたは図１１Ｂを参照しながら説明したレイヤ構成モジュール１１２０もしくは１１６０、および／または図１３を参照しながら説明したＵＥレイヤ構成モジュール１３４０の機能の一部もしくは全部を実行し得る。
【０１１７】
[0137]ｅＮＢ１０５−ｅの構成要素は、適用可能な機能の一部または全部をハードウェアで実施するように適合された１つまたは複数のＡＳＩＣを用いて、個別にまたはまとめて実装され得る。言及されたモジュールの各々は、システム１５００の動作に関係する１つまたは複数の機能を実施するための手段であり得る。同様に、ＵＥ１１５−ｅの構成要素は、適用可能な機能の一部または全部をハードウェアで実施するように適合された１つまたは複数のＡＳＩＣを用いて、個別にまたはまとめて実装され得る。言及された構成要素の各々は、システム１５００の動作に関係する１つまたは複数の機能を実施するための手段であり得る。
【０１１８】
[0138]一構成では、ｅＮＢ１０５−ｅは、送信とその送信の受信の確認応答との間に第１のラウンドトリップ時間（ＲＴＴ）を有する第１のサブフレームタイプを有する第１のレイヤ送信を有する第１のレイヤを通して部分的に定義されたワイヤレス通信システム内で動作するように構成するための手段と、第１のレイヤと多重化された第２のレイヤにおいて動作するための手段とを含み、第２のレイヤ送信は、第１のＲＴＴよりも小さい第２のＲＴＴを有する第２のサブフレームタイプを有する。一態様では、上述の手段は、上述の手段によって説明された機能を実行するように構成されたｅＮＢ１０５−ｅのｅＮＢコントローラ／プロセッサ１５４０、ｅＮＢメモリ１５４２、ｅＮＢ送信プロセッサ１５２０、ｅＮＢ受信機プロセッサ１５３８、ｅＮＢ変調器／復調器１５３２、およびｅＮＢアンテナ１５３４であり得る。構成において、ＵＥ１１５−ｅは、送信とその送信の受信の確認応答との間に第１のラウンドトリップ時間（ＲＴＴ）を有する第１のサブフレームタイプを有する第１のレイヤ送信を有する第１のレイヤを通して部分的に定義されたワイヤレス通信システム内で動作するように構成するための手段と、第１のレイヤと多重化された第２のレイヤにおいて動作するための手段とを含み、第２のレイヤ送信は、第１のＲＴＴよりも小さい第２のＲＴＴを有する第２のサブフレームタイプを有する。上述の手段は、上述の手段によって説明された機能を実行するように構成されたＵＥ１１５−ｅのＵＥコントローラ／プロセッサ１５８０、ＵＥメモリ１５８２、ＵＥ送信プロセッサ１５６４、ＵＥ受信機プロセッサ１５５８、ＵＥ変調器／復調器１５５４、およびＵＥアンテナ１５５２であり得る。
【０１１９】
[0139]別の構成では、ｅＮＢ１０５−ｅは、２つ以上の別個のキャリアを使用して、第１のサブフレームタイプを有する１つまたは複数のサブフレームをフレームの中で同時に送信するための手段と、キャリアのうちの少なくとも１つは第１の帯域幅を有する、第２の帯域幅を有する１つのキャリアを使用して、第２のサブフレームタイプとしてのサブフレームをフレームの中で送信するための手段と、第２の帯域幅が第１の帯域幅よりも大きい、を含む。一態様では、上述の手段は、上述の手段によって説明された機能を実行するように構成されたｅＮＢ１０５−ｅのｅＮＢコントローラ／プロセッサ１５４０、ｅＮＢメモリ１５４２、ｅＮＢ送信プロセッサ１５２０、ｅＮＢ受信機プロセッサ１５３８、ｅＮＢ変調器／復調器１５３２、およびｅＮＢアンテナ１５３４であり得る。構成において、ＵＥ１１５−ｅは、２つ以上の別個のキャリアを使用して、第１のサブフレームタイプを有する１つまたは複数のサブフレームをフレームの中で同時に送信するための手段と、キャリアのうちの少なくとも１つは第１の帯域幅を有する、第２の帯域幅を有する１つのキャリアを使用して、第２のサブフレームタイプとしてのサブフレームをフレームの中で送信するための手段と、第２の帯域幅が第１の帯域幅よりも大きい、を含む。上述の手段は、上述の手段によって説明された機能を実行するように構成されたＵＥ１１５−ｅのＵＥコントローラ／プロセッサ１５８０、ＵＥメモリ１５８２、ＵＥ送信プロセッサ１５６４、ＵＥ受信機プロセッサ１５５８、ＵＥ変調器／復調器１５５４、およびＵＥアンテナ１５５２であり得る。
【０１２０】
[0140]図１６は、本開示の態様による、ワイヤレス通信の方法の一例を概念的に示すフローチャートである。明快のために、方法１６００は、図１、図７、図１１Ａ、図１１Ｂ、図１２、図１３、および／または図１５を参照しながら説明したアクセスポイント、ｅＮＢ、ＵＥ、またはデバイス１０５、１１５、１１０５、および／または１１５５のうちの１つを参照しながら以下で説明される。一例では、ｅＮＢ、ＵＥ、またはデバイスは、以下で説明する機能を実施するためにｅＮＢ、ＵＥ、またはデバイスの機能要素を制御するためのコードの１つまたは複数のセットを実行し得る。
【０１２１】
[0141]ブロック１６０５において、ｅＮＢ、ＵＥ、および／またはデバイスは、ワイヤレス通信システム内で動作するように構成され得、システムは、送信とその送信の受信の確認応答との間に第１のＲＴＴを有する第１のサブフレームタイプを有する第１のレイヤ送信を伴う第１のレイヤを通して部分的に定義される。ブロック１６０５における動作は、場合によっては、図１１Ａおよび／または図１１Ｂを参照しながら説明したレイヤ構成モジュール１１２０および／または１１６０、図１２を参照しながら説明したｅＮＢレイヤ構成モジュール１２７０、図１３を参照しながら説明したＵＥレイヤ構成モジュール１３４０、図１５を参照しながら説明したプロセッサ１５８０および／またはプロセッサ１５４０ならびに関連する構成要素を使用して実施され得る。
【０１２２】
[0142]ブロック１６１０において、ｅＮＢ、ＵＥ、および／またはデバイスは、第１のレイヤと多重化された第２のレイヤにおいて動作し得、第２のレイヤ送信は、第１のＲＴＴよりも小さい第２のＲＴＴを有する第２のサブフレームタイプを有する。ブロック１６１０における動作は、場合によっては、図１１Ａおよび／または図１１Ｂを参照しながら説明した受信機モジュール１１１０および送信機モジュール１１３０に関連するレイヤ構成モジュール１１２０および／または１１６０、図１２を参照しながら説明したトランシーバモジュール１２５５およびアンテナ１２６０に関連するｅＮＢレイヤ構成モジュール１２７０、図１３を参照しながら説明したトランシーバモジュール１３７０およびアンテナ１３８０に関連するＵＥレイヤ構成モジュール１３４０、図１５を参照しながら説明したプロセッサ１５８０および／またはプロセッサ１５４０ならびに関連する構成要素を使用して実施され得る。
【０１２３】
[0143]したがって、方法１６００は、第２のレイヤにとってのＲＴＴが第１のレイヤにとってのＲＴＴよりも短い異なる階層的レイヤにおけるワイヤレス通信を提供し得、向上されたＴＣＰセグメント誤り率、それによって、拡張されたデータ転送レートを有する第２のレイヤをそのように提供し得る。方法１６００は一実装形態にすぎず、方法１６００の動作は、他の実装形態が可能であるように再構成され、または別の方法で修正され得ることに留意されたい。
【０１２４】
[0144]図１７は、本開示の態様による、ワイヤレス通信の方法の一例を概念的に示すフローチャートである。明快のために、方法１７００は、図１、図７、図１１Ａ、図１１Ｂ、図１２、図１３、および／または図１５を参照しながら説明したアクセスポイント、ｅＮＢ、ＵＥ、またはデバイス１０５、１１５、１１０５、および／または１１５５のうちの１つを参照しながら以下で説明される。一例では、ｅＮＢ、ＵＥ、またはデバイスは、以下で説明する機能を実施するためにｅＮＢ、ＵＥ、またはデバイスの機能要素を制御するためのコードの１つまたは複数のセットを実行し得る。
【０１２５】
[0145]ブロック１７０５において、ｅＮＢ、ＵＥ、および／またはデバイスは、送信とその送信の受信の確認応答との間に第１のＲＴＴを有する第１のサブフレームタイプを有する第１のレイヤ送信を伴う第１のレイヤ動作を構成し得る。ブロック１７０５における動作は、場合によっては、図１１Ａおよび／または図１１Ｂを参照しながら説明した第１のレイヤ構成モジュール１１７０に関連するレイヤ構成モジュール１１２０および／または１１６０、図１２を参照しながら説明したｅＮＢ第１のレイヤ構成モジュール１２８０に関連するｅＮＢレイヤ構成モジュール１２７０、図１３を参照しながら説明したＵＥ第１のレイヤ構成モジュール１３５０に関連するＵＥレイヤ構成モジュール１３４０、図１５を参照しながら説明したプロセッサ１５８０および／またはプロセッサ１５４０ならびに関連する構成要素を使用して実施され得る。
【０１２６】
[0146]ブロック１７１０において、ｅＮＢ、ＵＥ、および／またはデバイスは、第１のＲＴＴよりも小さい第２のＲＴＴを有する第２のサブフレームタイプを有する第２のレイヤ送信を伴う第２のレイヤ動作を構成し得る。ブロック１７１０における動作は、場合によっては、図１１Ａおよび／または図１１Ｂを参照しながら説明したバーストモードモジュール１１７５に関連するレイヤ構成モジュール１１２０および／または１１６０、図１２を参照しながら説明したｅＮＢバーストモードモジュール１２８５に関連するｅＮＢレイヤ構成モジュール１２７０、図１３を参照しながら説明したＵＥバーストモードモジュール１３５５に関連するＵＥレイヤ構成モジュール１３４０、図１５を参照しながら説明したプロセッサ１５８０および／またはプロセッサ１５４０ならびに関連する構成要素を使用して実施され得る。
【０１２７】
[0147]ブロック１７１５において、ｅＮＢ、ＵＥ、および／またはデバイスは、第１のサブフレームタイプを有する１つまたは複数のサブフレームを送信し得る。ブロック１７１５における動作は、場合によっては、図１１Ａおよび／または図１１Ｂを参照しながら説明した第１のレイヤ構成モジュール１１７０および送信機モジュール１１３０に関連するレイヤ構成モジュール１１２０および／または１１６０、図１２を参照しながら説明したｅＮＢ第１のレイヤ構成モジュール１２８０、トランシーバモジュール１２５５およびアンテナ１２６０に関連するｅＮＢレイヤ構成モジュール１２７０、図１３を参照しながら説明したＵＥ第１のレイヤ構成モジュール１３５０、トランシーバモジュール１３７０およびアンテナ１３８０に関連するＵＥレイヤ構成モジュール１３４０、図１５を参照しながら説明したプロセッサ１５８０および／またはプロセッサ１５４０ならびに関連する構成要素を使用して実施され得る。
【０１２８】
[0148]ブロック１７２０において、ｅＮＢ、ＵＥ、および／またはデバイスは、第１のサブフレームタイプとしての１つまたは複数のサブフレームと時分割多重化された、第２のサブフレームタイプを有する１つまたは複数のサブフレームを送信し得る。ブロック１７２０における動作は、場合によっては、図１１Ａおよび／または図１１Ｂを参照しながら説明したバーストモードモジュール１１７５および送信機モジュール１１３０に関連するレイヤ構成モジュール１１２０および／または１１６０、図１２を参照しながら説明したｅＮＢバーストモードモジュール１２８５、トランシーバモジュール１２５５およびアンテナ１２６０に関連するｅＮＢレイヤ構成モジュール１２７０、図１３を参照しながら説明したＵＥバーストモードモジュール１３５５、トランシーバモジュール１３７０およびアンテナ１３８０に関連するＵＥレイヤ構成モジュール１３４０、図１５を参照しながら説明したプロセッサ１５８０および／またはプロセッサ１５４０ならびに関連する構成要素を使用して実施され得る。
【０１２９】
[0149]したがって、方法１７００は、第２のレイヤにとってのＲＴＴが第１のレイヤにとってのＲＴＴよりも短い、異なる階層的レイヤにおけるワイヤレス通信を提供し得、向上されたＴＣＰセグメント誤り率、それによって、拡張されたデータ転送レートを有する第２のレイヤをそのように提供し得る。方法１７００は一実装形態にすぎず、方法１７００の動作は、他の実装形態が可能であるように再構成され、または別の方法で修正され得ることに留意されたい。
【０１３０】
[0150]図１８は、本開示の態様による、ワイヤレス通信の方法の一例を概念的に示すフローチャートである。明快のために、方法１８００は、図１、図７、図１１Ａ、図１１Ｂ、図１２、図１３、および／または図１５を参照しながら説明したアクセスポイント、ｅＮＢ、ＵＥ、またはデバイス１０５、１１５、１１０５、および／または１１５５のうちの１つを参照しながら以下で説明される。一例では、ｅＮＢ、ＵＥ、またはデバイスは、以下で説明する機能を実施するためにｅＮＢ、ＵＥ、またはデバイスの機能要素を制御するためのコードの１つまたは複数のセットを実行し得る。
【０１３１】
[0151]ブロック１８０５において、ｅＮＢ、ＵＥ、および／またはデバイスは、送信とその送信の受信の確認応答との間に第１のＲＴＴを有する第１のサブフレームタイプを有する第１のレイヤ送信を伴う第１のレイヤ動作を構成し得る。ブロック１８０５における動作は、場合によっては、図１１Ａおよび／または図１１Ｂを参照しながら説明した第１のレイヤ構成モジュール１１７０に関連するレイヤ構成モジュール１１２０および／または１１６０、図１２を参照しながら説明したｅＮＢ第１のレイヤ構成モジュール１２８０に関連するｅＮＢレイヤ構成モジュール１２７０、図１３を参照しながら説明したＵＥ第１のレイヤ構成モジュール１３５０に関連するＵＥレイヤ構成モジュール１３４０、図１５を参照しながら説明したプロセッサ１５８０および／またはプロセッサ１５４０ならびに関連する構成要素を使用して実施され得る。
【０１３２】
[0152]ブロック１８１０において、ｅＮＢ、ＵＥ、および／またはデバイスは、第１のＲＴＴよりも小さい第２のＲＴＴを有する第２のサブフレームタイプを有する第２のレイヤ送信を伴う第２のレイヤ動作を構成し得る。ブロック１８１０における動作は、場合によっては、図１１Ａおよび／または図１１Ｂを参照しながら説明したバーストモードモジュール１１７５に関連するレイヤ構成モジュール１１２０および／または１１６０、図１２を参照しながら説明したｅＮＢバーストモードモジュール１２８５に関連するｅＮＢレイヤ構成モジュール１２７０、図１３を参照しながら説明したＵＥバーストモードモジュール１３５５に関連するＵＥレイヤ構成モジュール１３４０、図１５を参照しながら説明したプロセッサ１５８０および／またはプロセッサ１５４０ならびに関連する構成要素を使用して実施され得る。
【０１３３】
[0153]ブロック１８１５において、ｅＮＢ、ＵＥ、および／またはデバイスは、第２のサブフレームタイプとしてのサブフレームの中でデータを送信し得る。ブロック１８１５における動作は、場合によっては、図１１Ａおよび／または図１１Ｂを参照しながら説明したバーストモードモジュール１１７５および送信機モジュール１１３０に関連するレイヤ構成モジュール１１２０および／または１１６０、図１２を参照しながら説明したｅＮＢバーストモードモジュール１２８５、トランシーバモジュール１２５５およびアンテナ１２６０に関連するｅＮＢレイヤ構成モジュール１２７０、図１３を参照しながら説明したＵＥバーストモードモジュール１３５５、トランシーバモジュール１３７０およびアンテナ１３８０に関連するＵＥレイヤ構成モジュール１３４０、図１５を参照しながら説明したプロセッサ１５８０および／またはプロセッサ１５４０ならびに関連する構成要素を使用して実施され得る。
【０１３４】
[0154]ブロック１８２０において、ｅＮＢ、ＵＥ、および／またはデバイスは、第２のサブフレームタイプとしてのサブフレーム内で、送信の受信の確認応答を受信し得る。ブロック１８２０における動作は、場合によっては、図１１Ａおよび／または図１１Ｂを参照しながら説明したバーストモードモジュール１１７５および受信機モジュール１１１０に関連するレイヤ構成モジュール１１２０および／または１１６０、図１２を参照しながら説明したｅＮＢバーストモードモジュール１２８５、トランシーバモジュール１２５５およびアンテナ１２６０に関連するｅＮＢレイヤ構成モジュール１２７０、図１３を参照しながら説明したＵＥバーストモードモジュール１３５５、トランシーバモジュール１３７０およびアンテナ１３８０に関連するＵＥレイヤ構成モジュール１３４０、図１５を参照しながら説明したプロセッサ１５８０および／またはプロセッサ１５４０ならびに関連する構成要素を使用して実施され得る。
【０１３５】
[0155]したがって、方法１８００は、送信の受信の確認応答がその送信と同じサブフレーム内で受信され得る、異なる階層的レイヤにおけるワイヤレス通信を提供し得る。方法１８００は一実装形態にすぎず、方法１８００の動作は、他の実装形態が可能であるように再構成され、または別の方法で修正され得ることに留意されたい。
【０１３６】
[0156]図１９は、本開示の態様による、ワイヤレス通信の方法の一例を概念的に示すフローチャートである。明快のために、方法１９００は、図１、図７、図１１Ａ、図１１Ｂ、図１２、図１３、および／または図１５を参照しながら説明したアクセスポイント、ｅＮＢ、ＵＥ、またはデバイス１０５、１１５、１１０５、および／または１１５５のうちの１つを参照しながら以下で説明される。一例では、ｅＮＢ、ＵＥ、またはデバイスは、以下で説明する機能を実施するためにｅＮＢ、ＵＥ、またはデバイスの機能要素を制御するためのコードの１つまたは複数のセットを実行し得る。
【０１３７】
[0157]ブロック１９０５において、ｅＮＢ、ＵＥ、および／またはデバイスは、２つ以上の別個のキャリアを使用して、第１のサブフレームタイプを有する１つまたは複数のサブフレームをフレームの中で同時に送信し得、キャリアのうちの少なくとも１つは第１の帯域幅を有する。ブロック１９０５における動作は、場合によっては、図１１Ａおよび／または図１１Ｂを参照しながら説明したスケーラブル帯域幅モジュール１１８５および送信機モジュール１１３０に関連するレイヤ構成モジュール１１２０および／または１１６０、図１２を参照しながら説明したｅＮＢスケーラブル帯域幅モジュール１２９５、トランシーバモジュール１２５５およびアンテナ１２６０に関連するｅＮＢレイヤ構成モジュール１２７０、図１３を参照しながら説明したＵＥスケーラブル帯域幅モジュール１３６５、トランシーバモジュール１３７０およびアンテナ１３８０に関連するＵＥレイヤ構成モジュール１３４０、図１５を参照しながら説明したプロセッサ１５８０および／またはプロセッサ１５４０ならびに関連する構成要素を使用して実施され得る。
【０１３８】
[0158]ブロック１９１０において、ｅＮＢ、ＵＥ、および／またはデバイスは、第２の帯域幅を有する１つのキャリアを使用して、第２のサブフレームタイプとしてのサブフレームをフレームの中で送信し得、第２の帯域幅が第１の帯域幅よりも大きい。ブロック１９１０における動作は、場合によっては、図１１Ａおよび／または図１１Ｂを参照しながら説明したスケーラブル帯域幅モジュール１１８５および送信機モジュール１１３０に関連するレイヤ構成モジュール１１２０および／または１１６０、図１２を参照しながら説明したｅＮＢスケーラブル帯域幅モジュール１２９５、トランシーバモジュール１２５５およびアンテナ１２６０に関連するｅＮＢレイヤ構成モジュール１２７０、図１３を参照しながら説明したＵＥスケーラブル帯域幅モジュール１３６５、トランシーバモジュール１３７０およびアンテナ１３８０に関連するＵＥレイヤ構成モジュール１３４０、図１５を参照しながら説明したプロセッサ１５８０および／またはプロセッサ１５４０ならびに関連する構成要素を使用して実施され得る。
【０１３９】
[0159]したがって、方法１９００は、異なる階層的レイヤにおいてスケーラブル帯域幅を利用し得るワイヤレス通信を提供し得る。方法１９００は一実装形態にすぎず、方法１９００の動作は、他の実装形態が可能であるように再構成され、または別の方法で修正され得ることに留意されたい。
【０１４０】
[0160]添付の図面に関して上記に記載した詳細な説明は、例示的な実施形態について説明しており、実装され得るかまたは特許請求の範囲内に入る唯一の例を表すものではない。この説明全体にわたって使用される「例示的」という用語は、「例、事例、または例示の働きをすること」を意味し、「好ましい」または「他の例よりも有利な」を意味しない。詳細な説明は、説明された技法の理解を与えるために、具体的な詳細を含む。しかしながら、これらの技法は、これらの具体的な詳細なしに実践される場合がある。場合によっては、説明された例の概念を不明瞭にすることを避けるために、よく知られている構造およびデバイスがブロック図の形態で示されている。
【０１４１】
[0161]情報および信号は、様々な異なる技術および技法のいずれかを使用して表現され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１４２】
[0162]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェアコンポーネント、または本明細書で説明された機能を実施するように設計されたそれらの任意の組合せによって実装または実施され得る。汎用プロセッサはマイクロプロセッサであり得るが、代替として、プロセッサは任意の従来のプロセッサ、コントローラ、マイクロコントローラ、またはステートマシンであり得る。プロセッサはまた、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または任意の他のそのような構成として実装され得る。
【０１４３】
[0163]本明細書に記載された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶され得、またはコンピュータ可読媒体を介して送信され得る。他の例および実装形態が、本開示および添付の特許請求の範囲および趣旨内にある。たとえば、ソフトウェアの性質により、上記に記載された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が異なる物理的ロケーションにおいて実装されるように分散されることを含む、様々な位置に物理的に配置され得る。また、特許請求の範囲内を含め、本明細書で使用されるとき、「のうちの少なくとも１つ」で始まる項目のリスト内で使用される「または」は、たとえば、「Ａ、Ｂ、またはＣのうちの少なくとも１つ」のリストが、ＡまたはＢまたはＣまたはＡＢまたはＡＣまたはＢＣまたはＡＢＣ（すなわち、ＡおよびＢおよびＣ）を意味するような選言的リストを示す。
【０１４４】
[0164]コンピュータ可読媒体は、ある場所から別の場所へのコンピュータプログラムの転送を容易にする任意の媒体を含む通信媒体と、コンピュータ記憶媒体の両方を含む。記憶媒体は、汎用コンピュータまたは専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態で所望のプログラムコード手段を搬送または記憶するために使用され得、汎用もしくは専用コンピュータまたは汎用もしくは専用プロセッサによってアクセスされ得る、任意の他の媒体を備えることができる。また、任意の接続は、コンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれる。
【０１４５】
[0165]本開示の前の説明は、当業者が本開示を作製または使用することを可能にするために提供される。本開示への様々な変更は当業者には容易に明らかとなり、本明細書において定義された一般原理は、本開示の趣旨または範囲から逸脱することなく他の変形形態に適用される場合がある。本開示全体にわたって、「例」または「例示的」という用語は、一例または一事例を示すものであり、言及された例についていかなる選好も暗示せず、または必要としない。したがって、本開示は、本明細書で説明した例および設計に限定されるべきでなく、本明細書で開示した原理および新規の特徴に合致する最も広い範囲を与えられるべきである。
以下に、出願当初の特許請求の範囲に記載された発明を付記する。
［Ｃ１］
ワイヤレス通信システム内の階層的通信のための方法であって、
前記ワイヤレス通信システム内で動作するように構成することと、ここにおいて、前記ワイヤレス通信システムが、第１のレイヤを通して部分的に定義され、ここにおいて、第１のレイヤ送信が、送信と前記送信の受信の確認応答との間に第１のラウンドトリップ時間（ＲＴＴ）を有する第１のサブフレームタイプを有する、
前記第１のレイヤと多重化された第２のレイヤにおいて動作することと、ここにおいて、第２のレイヤ送信が、前記第１のＲＴＴよりも小さい第２のＲＴＴを有する第２のサブフレームタイプを有する、
を備える方法。
［Ｃ２］
前記第１のレイヤと多重化された前記第２のレイヤにおいて前記動作することが、前記第２のサブフレームタイプと前記第２のＲＴＴとを有する１つまたは複数の他のサブフレームを、フレームの中で送信することを備える、
Ｃ１に記載の方法。
［Ｃ３］
前記第１のサブフレームタイプを有する１つまたは複数のサブフレームを、前記フレームの中で送信することをさらに備える、Ｃ２に記載の方法。
［Ｃ４］
前記第１のレイヤと多重化された前記第２のレイヤが、前記第１のサブフレームタイプを有する前記１つまたは複数のサブフレームと時分割多重化された、前記第２のサブフレームタイプとしての１つまたは複数のサブフレームを備える、Ｃ２に記載の方法。
［Ｃ５］
前記第１のレイヤと多重化された前記第２のレイヤが、前記第１のサブフレームタイプを有する前記１つまたは複数のサブフレームと周波数分割多重化された、前記第２のサブフレームタイプとしての１つまたは複数のサブフレームを備える、Ｃ２に記載の方法。
［Ｃ６］
前記第１のサブフレームタイプを有するサブフレームの持続時間が、前記第２のサブフレームタイプを有するサブフレームの持続時間に実質的に等しい、Ｃ１に記載の方法。
［Ｃ７］
前記第１のサブフレームタイプが、第１の持続時間のシンボルを備え、前記第２のサブフレームタイプが、前記第１の持続時間よりも短い第２の持続時間のシンボルを備える、Ｃ１に記載の方法。
［Ｃ８］
前記第１のサブフレームタイプとしてのシンボルおよび前記第２のサブフレームタイプとしてのシンボルが、直交周波数分割多重化（ＯＦＤＭ）されたシンボルを備える、Ｃ７に記載の方法。
［Ｃ９］
前記第１のサブフレームタイプとしてのシンボルおよび前記第２のサブフレームタイプとしてのシンボルが、シングルキャリア周波数分割多重化（ＳＣ−ＦＤＭ）されたシンボルを備える、Ｃ７に記載の方法。
［Ｃ１０］
前記第２のサブフレームタイプが、前記第１の持続時間のシンボルと、前記第２の持続時間のシンボルとを備える、Ｃ７に記載の方法。
［Ｃ１１］
前記第２のサブフレームタイプが、デバイスの第１のクラス用にフォーマッティングされたシンボルと、デバイスの第２のクラス用にフォーマッティングされたシンボルとを備える、Ｃ７に記載の方法。
［Ｃ１２］
前記第２の持続時間のシンボルを生成するようにクロックを適合させることによって、前記第１の持続時間のシンボルを生成するように構成された前記クロックを利用すること
をさらに備える、Ｃ７に記載の方法。
［Ｃ１３］
前記第２のサブフレームタイプとしてのサブフレームの中で、データを送信することと、
前記第２のサブフレームタイプとしての前記サブフレーム内で、前記送信の受信の前記確認応答を受信することと
をさらに備える、Ｃ１に記載の方法。
［Ｃ１４］
前記第２のサブフレームタイプとしてのサブフレーム内で、送信を受信することと、
前記第２のサブフレームタイプとしての、前記サブフレーム内または後続のサブフレーム内で、前記送信の受信の前記確認応答を送信することと
をさらに備える、Ｃ１に記載の方法。
［Ｃ１５］
前記第１のサブフレームタイプとしてのサブフレームが、周波数分割複信（ＦＤＤ）、時分割複信（ＴＤＤ）、または補助ダウンリンク（ＳＤＬ）サブフレームであり、ここにおいて、前記第２のサブフレームタイプとしてのサブフレームが、ＦＤＤ、ＴＤＤ、またはＳＤＬバーストサブフレームである、Ｃ１に記載の方法。
［Ｃ１６］
前記ワイヤレス通信システムが、
２つ以上の別個のコンポーネントキャリアを使用して、前記第１のサブフレームタイプとしての１つまたは複数のサブフレームを同時に送信することと、前記コンポーネントキャリアのうちの少なくとも１つが第１の帯域幅を有する、
第２の帯域幅を有する１つのコンポーネントキャリアを使用して、前記第２のサブフレームタイプとしてのサブフレームを送信することと、前記第２の帯域幅は前記第１の帯域幅よりも大きい、
を行うように構成される、Ｃ１に記載の方法。
［Ｃ１７］
前記第１のサブフレームタイプとしての前記１つまたは複数のサブフレームおよび前記第２のサブフレームタイプとしての前記サブフレームが、フレーム内で送信される、Ｃ１６に記載の方法。
［Ｃ１８］
前記第１のサブフレームタイプを有するサブフレームが、１４個以下のＯＦＤＭまたはＳＣ−ＦＤＭシンボルを備え、前記第２のサブフレームタイプを有するサブフレームが、１４個よりも多いＯＦＤＭまたはＳＣ−ＦＤＭシンボルを備える、Ｃ１に記載の方法。
［Ｃ１９］
前記第２のレイヤにおける前記送信が、ユーザ機器（ＵＥ）または基地局によって実行される、Ｃ１に記載の方法。
［Ｃ２０］
ワイヤレス通信システム内の階層的通信のための装置であって、
前記ワイヤレス通信システム内で動作するように構成するための手段と、ここにおいて、前記ワイヤレス通信システムが、第１のレイヤを通して部分的に定義され、ここにおいて、第１のレイヤ送信が、送信と前記送信の受信の確認応答との間に第１のラウンドトリップ時間（ＲＴＴ）を有する第１のサブフレームタイプを有する、
前記第１のレイヤと多重化された第２のレイヤにおいて動作するための手段と、ここにおいて、第２のレイヤ送信が、前記第１のＲＴＴよりも小さい第２のＲＴＴを有する第２のサブフレームタイプを有する、
を備える装置。
［Ｃ２１］
前記第２のサブフレームタイプと前記第２のＲＴＴとを有する１つまたは複数の他のサブフレームを、フレームの中で送信するための手段
をさらに備える、Ｃ２０に記載の装置。
［Ｃ２２］
前記第１のサブフレームタイプを有する１つまたは複数のサブフレームを、前記フレームの中で送信するための手段
をさらに備える、Ｃ２１に記載の装置。
［Ｃ２３］
前記第１のサブフレームタイプを有するサブフレームの持続時間が、前記第２のサブフレームタイプを有するサブフレームの持続時間に実質的に等しい、Ｃ２０に記載の装置。
［Ｃ２４］
前記第１のサブフレームタイプが、第１の持続時間のシンボルを備え、前記第２のサブフレームタイプが、前記第１の持続時間よりも短い第２の持続時間のシンボルを備える、Ｃ２０に記載の装置。
［Ｃ２５］
前記第１のサブフレームタイプとしてのシンボルおよび前記第２のサブフレームタイプとしてのシンボルが、直交周波数分割多重化（ＯＦＤＭ）されたシンボルまたはシングルキャリア周波数分割多重化（ＳＣ−ＦＤＭ）されたシンボルのうちの１つまたは複数を備える、Ｃ２４に記載の装置。
［Ｃ２６］
前記第２の持続時間のシンボルを生成するようにクロックを適合させることによって、前記第１の持続時間のシンボルを生成するように構成された前記クロックを利用するための手段
をさらに備える、Ｃ２４に記載の装置。
［Ｃ２７］
前記第２のサブフレームタイプとしてのサブフレームの中で、データを送信するための手段と、
前記第２のサブフレームタイプとしての前記サブフレーム内で、前記送信の受信の前記確認応答を受信するための手段と
をさらに備える、Ｃ２０に記載の装置。
［Ｃ２８］
２つ以上の別個のコンポーネントキャリアを使用して、前記第１のサブフレームタイプとしての１つまたは複数のサブフレームを同時に送信するための手段と、前記コンポーネントキャリアのうちの少なくとも１つが第１の帯域幅を有する、
第２の帯域幅を有する１つのコンポーネントキャリアを使用して、前記第２のサブフレームタイプとしてのサブフレームを送信するための手段と、前記第２の帯域幅が前記第１の帯域幅よりも大きい、
をさらに備える、Ｃ２０に記載の装置。
［Ｃ２９］
ワイヤレス通信システム内の階層的通信のための装置であって、
プロセッサと、
前記プロセッサと電子通信しているメモリと、
前記メモリに記憶された命令とを備え、前記命令は、
前記ワイヤレス通信システム内で動作するように構成することと、ここにおいて、前記ワイヤレス通信システムが、第１のレイヤを通して部分的に定義され、ここにおいて、第１のレイヤ送信が、送信と前記送信の受信の確認応答との間に第１のラウンドトリップ時間（ＲＴＴ）を有する第１のサブフレームタイプを有する、
前記第１のレイヤと多重化された第２のレイヤにおいて動作することと、ここにおいて、第２のレイヤ送信が、前記第１のＲＴＴよりも小さい第２のＲＴＴを有する第２のサブフレームタイプを有する、
を前記装置にさせるように前記プロセッサによって実行可能である、装置。
［Ｃ３０］
ワイヤレス通信システム内の階層的通信のためのコードを記憶する非一時的コンピュータ可読媒体であって、前記コードは、
前記ワイヤレス通信システム内で動作するように構成することと、ここにおいて、前記ワイヤレス通信システムが、第１のレイヤを通して部分的に定義され、ここにおいて、第１のレイヤ送信が、送信と前記送信の受信の確認応答との間に第１のラウンドトリップ時間（ＲＴＴ）を有する第１のサブフレームタイプを有する、
前記第１のレイヤと多重化された第２のレイヤにおいて動作することと、ここにおいて、第２のレイヤ送信が、前記第１のＲＴＴよりも小さい第２のＲＴＴを有する第２のサブフレームタイプを有する、
を行うように実行可能な命令を備える、非一時的コンピュータ可読媒体。
【図１】
0006325131.tif 000002
【図２】
0006325131.tif 000003
【図３Ａ】
0006325131.tif 000004
【図３Ｂ】
0006325131.tif 000005
【図４】
0006325131.tif 000006
【図５】
0006325131.tif 000007
【図６】
0006325131.tif 000008
【図７】
0006325131.tif 000009
【図８Ａ】
0006325131.tif 000010
【図８Ｂ】
0006325131.tif 000011
【図９】
0006325131.tif 000012
【図１０】
0006325131.tif 000013
【図１１Ａ】
0006325131.tif 000014
【図１１Ｂ】
0006325131.tif 000015
【図１２】
0006325131.tif 000016
【図１３】
0006325131.tif 000017
【図１４】
0006325131.tif 000018
【図１５】
0006325131.tif 000019
【図１６】
0006325131.tif 000020
【図１７】
0006325131.tif 000021
【図１８】
0006325131.tif 000022
【図１９】
0006325131.tif 000023